(57)【要約】【課題】  非同期デジタル加入者回線（ＡＤＳＬ）での伝送効率を向上させる様々なシステムとプロセスを開示する。【解決手段】  本発明は、各種のパワー・スペクトル密度（ＰＳＤ）マスクを用いて、オーバーラップ型伝送あるいは非オーバーラップ型伝送スペクトルのスペクトル形成を行なうものである。更に本発明は、ノイズや比較的長距離ループでのハンドシェーク信号のためのシステムとテクニックを開示する。
2005534256.tif 000002
【特許請求の範囲】
【請求項１】
二重ビットマップのスペクトル(DBM) モード下り電文送信のスペクトル形成に用いるパワー・スペクトル密度（ＰＳＤ）マスクにおいて、
方性式；
2005534256.tif 000062
で特定されることを特徴とするパワー・スペクトル密度（ＰＳＤ）マスク。
【請求項２】
前記
2005534256.tif 000063
が、0.0900ワットと0.1200ワット間の値であるように構成したことを特徴とする請求項１記載のパワー・スペクトル密度（ＰＳＤ）マスク。
【請求項３】
前記
2005534256.tif 000064
が、0.1104ワットであるように構成したことを特徴とする請求項２記載のパワー・スペクトル密度（ＰＳＤ）マスク。
【請求項４】
前記
2005534256.tif 000065
が、2.100メガヘルツと2.300メガヘルツ間の値であるように構成したことを特徴とする請求項１記載のパワー・スペクトル密度（ＰＳＤ）マスク。
【請求項５】
前記
2005534256.tif 000066
が、2.208メガヘルツであるように構成したことを特徴とする請求項１記載のパワー・スペクトル密度（ＰＳＤ）マスク。
【請求項６】
前記
2005534256.tif 000067
が、略
2005534256.tif 000068
であるように構成したことを特徴とする請求項１記載のパワー・スペクトル密度（ＰＳＤ）マスク。
【請求項７】
前記
2005534256.tif 000069
は、100キロヘルツと150キロヘルツ間の値であるように構成したことを特徴とする請求項１記載のパワー・スペクトル密度（ＰＳＤ）マスク。
【請求項８】
前記
2005534256.tif 000070
は、130キロヘルツであるように構成したことを特徴とする請求項１記載のパワー・スペクトル密度（ＰＳＤ）マスク。
【請求項９】
前記Ｃは、0.1と10間の値であるように構成したことを特徴とする請求項１記載のパワー・スペクトル密度（ＰＳＤ）マスク。
【請求項１０】
前記Ｃは、値２であるように構成したことを特徴とする請求項７記載のパワー・スペクトル密度（ＰＳＤ）マスク。
【請求項１１】
前記
2005534256.tif 000071
は、130キロヘルツであるように構成したことを特徴とする請求項１０記載のパワー・スペクトル密度（ＰＳＤ）マスク。
【請求項１２】
前記
2005534256.tif 000072
が、略
2005534256.tif 000073
であるように構成したことを特徴とする請求項１１記載のパワー・スペクトル密度（ＰＳＤ）マスク。
【請求項１３】
前記
2005534256.tif 000074
が、0.1104ワットであるように構成したことを特徴とする請求項1２記載のパワー・スペクトル密度（ＰＳＤ）マスク。
【請求項１４】
前記
2005534256.tif 000075
が、2.208メガヘルツであるように構成したことを特徴とする請求項１３記載のパワー・スペクトル密度（ＰＳＤ）マスク。
【請求項１５】
遠端部漏話(FEXT)ビットマップ(FBM)モード下り電文送信のスペクトル形成に用いるパワー・スペクトル密度（ＰＳＤ）マスクにおいて、
方性式；
2005534256.tif 000076
で特定されることを特徴とするパワー・スペクトル密度（ＰＳＤ）マスク。
【請求項１６】
前記
2005534256.tif 000077
が、0.0900ワットと0.1200ワット間の値であるように構成したことを特徴とする請求項１５記載のパワー・スペクトル密度（ＰＳＤ）マスク。
【請求項１７】
前記
2005534256.tif 000078
が、0.1104ワットであるように構成したことを特徴とする請求項１６記載のパワー・スペクトル密度（ＰＳＤ）マスク。
【請求項１８】
前記
2005534256.tif 000079
が、2.100メガヘルツと2.300メガヘルツ間の値であるように構成したことを特徴とする請求項１５記載のパワー・スペクトル密度（ＰＳＤ）マスク。
【請求項１９】
前記
2005534256.tif 000080
が、2.208メガヘルツであるように構成したことを特徴とする請求項１５記載のパワー・スペクトル密度（ＰＳＤ）マスク。
【請求項２０】
前記
2005534256.tif 000081
が、略
2005534256.tif 000082
であるように構成したことを特徴とする請求項１５記載のパワー・スペクトル密度（ＰＳＤ）マスク。
【請求項２１】
前記
2005534256.tif 000083
は、27キロヘルツと40キロヘルツ間の値であるように構成したことを特徴とする請求項１５記載のパワー・スペクトル密度（ＰＳＤ）マスク。
【請求項２２】
前記
2005534256.tif 000084
は、32キロヘルツであるように構成したことを特徴とする請求項１５記載のパワー・スペクトル密度（ＰＳＤ）マスク。
【請求項２３】
前記Ｃは、0.1と10間の値であるように構成したことを特徴とする請求項１５記載のパワー・スペクトル密度（ＰＳＤ）マスク。
【請求項２４】
前記Ｃは、値２であるように構成したことを特徴とする請求項２３記載のパワー・スペクトル密度（ＰＳＤ）マスク。
【請求項２５】
前記
2005534256.tif 000085
は、32キロヘルツであるように構成したことを特徴とする請求項２４記載のパワー・スペクトル密度（ＰＳＤ）マスク。
【請求項２６】
前記
2005534256.tif 000086
が、略
2005534256.tif 000087
であるように構成したことを特徴とする請求項２５記載のパワー・スペクトル密度（ＰＳＤ）マスク。
【請求項２７】
前記
2005534256.tif 000088
が、0.1104ワットであるように構成したことを特徴とする請求項２６記載のパワー・スペクトル密度（ＰＳＤ）マスク。
【請求項２８】
前記
2005534256.tif 000089
が、2.208メガヘルツであるように構成したことを特徴とする請求項２７記載のパワー・スペクトル密度（ＰＳＤ）マスク。
【請求項２９】
遠隔ＡＤＳＬ端末装置（ＡＴＵ−Ｒ）と、双方向性オーバーラップ・スペクトル離散的多重音声（ＤＭＴ）通信する電話局ADSL端末（ＡＴＵ−Ｃ）で構成されている非同期デジタル加入者回線（ＡＤＳＬ）システムで用いる通信方法において：
少なくともＡＴＵ−ＣおよびＡＴＵ−Ｒ間の距離の少なくとも一部に基づいて、第1のＤＭＴトーンか第2のＤＭＴトーンで、第1のハンドシェーク・トーンを送信するステップで構成したことを特徴とする通信方法。
【請求項３０】
前記第1のハンドシェーク・トーンは、ＡＴＵ−ＣおよびＡＴＵ−Ｒの間の距離が6.2キロメートル未満である時には、前記第１のＤＭＴトーンで送信され、またＡＴＵ−ＣおよびＡＴＵ−Ｒの間の距離が6.2キロメートル以上の時には、前記第1のハンドシェーク・トーンは前記第2のＤＭＴトーンで送信されるように構成したことを特徴とする請求項２９記載の通信方法。
【請求項３１】
前記第1のハンドシェーク・トーンは、パイロット・トーンであることを特徴とする請求項２９記載の通信方法。
【請求項３２】
前記第1のＤＭＴトーンはトーン64であり、前記第2のＤＭＴトーンはトーン32であることを特徴とする請求項３１記載の通信方法。
【請求項３３】
前記第1のハンドシェーク・トーンは、ＴＣＭ−ＩＳＤＮタイミング基準（ＴＴＲ）トーンであることを特徴とする請求項２９記載の通信方法。
【請求項３４】
前記第1のＤＭＴトーンはトーン48であり、第2のＤＭＴトーンはトーン24であることを特徴とする請求項３３記載の通信方法。
【請求項３５】
更に、少なくともＡＴＵ−ＣおよびＡＴＵ−Ｒ間の距離の少なくとも一部に基づいて、第３のＤＭＴトーンか第４のＤＭＴトーンで、第２のハンドシェーク・トーンを送信するステップで構成したことを特徴とする請求項２９記載の通信方法。
【請求項３６】
前記第２のハンドシェーク・トーンは、ＡＴＵ−ＣおよびＡＴＵ−Ｒの間の距離が6.2キロメートル未満である時には、前記第３のＤＭＴトーンで送信され、またＡＴＵ−ＣおよびＡＴＵ−Ｒの間の距離が6.2キロメートル以上の時には、前記第２のハンドシェーク・トーンは前記第４のＤＭＴトーンで送信されるように構成したことを特徴とする請求項３５記載の通信方法。
【請求項３７】
前記第1のハンドシェーク・トーンは、パイロット・トーンであり、前記第２のハンドシェーク・トーンはＴＣＭ−ＩＳＤＮタイミング基準（ＴＴＲ）トーンであることを特徴とする請求項３５記載の通信方法。
【請求項３８】
前記第1のＤＭＴトーンはトーン64であり、前記第2のＤＭＴトーンはトーン32であり、第３のＤＭＴトーンはトーン48であり、第４のＤＭＴトーンはトーン24であることを特徴とする請求項３７記載の通信方法。
【請求項３９】
前記ＡＴＵ−ＣおよびＡＴＵ−Ｒは、ＴＣＭ−ＩＳＤＮネットワークを経由して双方向性通信されることを特徴とする請求項２９記載の通信方法。
【請求項４０】
非同期デジタル加入者回線（ＡＤＳＬ）システムにおいて：
電話局ADSL端末（ＡＴＵ−Ｃ）と；
前記ＡＴＵ−Ｃと双方向性オーバーラップ・スペクトル離散的多重音声（ＤＭＴ）通信する遠隔ＡＤＳＬ端末装置（ＡＴＵ−Ｒ）とで構成され；
前記電話局ADSL端末（ＡＴＵ−Ｃ）は、少なくともＡＴＵ−ＣおよびＡＴＵ−Ｒ間の距離の少なくとも一部に基づいて、第1のＤＭＴトーンか第2のＤＭＴトーンで、第1のハンドシェーク・トーンを送信するために利用され；
前記遠隔ＡＤＳＬ端末装置（ＡＴＵ−Ｒ）は、前記第1のＤＭＴトーンか前記第2のＤＭＴトーンで、前記第1のハンドシェーク・トーンを受信するために利用されるように構成したことを特徴とするＡＤＳＬシステム。
【請求項４１】
前記電話局ADSL端末（ＡＴＵ−Ｃ）は、
ＡＴＵ−ＣおよびＡＴＵ−Ｒの間の距離が6.2キロメートル未満である時には、前記第1のハンドシェーク・トーンを前記第１のＤＭＴトーンで送信するために利用され；また
ＡＴＵ−ＣおよびＡＴＵ−Ｒの間の距離が6.2キロメートル以上の時には、前記第1のハンドシェーク・トーンを前記第2のＤＭＴトーンで送信するために利用されるように構成したことを特徴とする請求項４０記載のＡＤＳＬシステム。
【請求項４２】
前記第1のハンドシェーク・トーンは、パイロット・トーンであることを特徴とする請求項４０記載のＡＤＳＬシステム。
【請求項４３】
前記第1のＤＭＴトーンはトーン64であり、前記第2のＤＭＴトーンはトーン32であることを特徴とする請求項４２記載のＡＤＳＬシステム。
【請求項４４】
前記第1のハンドシェーク・トーンは、ＴＣＭ−ＩＳＤＮタイミング基準（ＴＴＲ）トーンであることを特徴とする請求項４０記載のＡＤＳＬシステム。
【請求項４５】
前記第1のＤＭＴトーンはトーン48であり、第2のＤＭＴトーンはトーン24であることを特徴とする請求項４４記載のＡＤＳＬシステム。
【請求項４６】
前記ＡＴＵ−Ｃは、少なくともＡＴＵ−ＣおよびＡＴＵ−Ｒ間の距離の少なくとも一部に基づいて、前記第３のＤＭＴトーンか前記第４のＤＭＴトーンで、第２のハンドシェーク・トーンを送信し；
前記ＡＴＵ−Ｒは、前記第３のＤＭＴトーンか前記第４のＤＭＴトーンで、前記第２のハンドシェーク・トーンを受信するように構成したことを特徴とする請求項４０記載のＡＤＳＬシステム。
【請求項４７】
前記ＡＴＵ−Ｃは、前記第２のハンドシェーク・トーンを、ＡＴＵ−ＣおよびＡＴＵ−Ｒの間の距離が6.2キロメートル未満である時には、前記第３のＤＭＴトーンで送信し；
前記ＡＴＵ−Ｃは、ＡＴＵ−ＣおよびＡＴＵ−Ｒの間の距離が6.2キロメートル以上の時には、前記第２のハンドシェーク・トーンを前記第４のＤＭＴトーンで送信するように構成したことを特徴とする請求項４６記載のＡＤＳＬシステム。
【請求項４８】
前記第1のハンドシェーク・トーンは、パイロット・トーンであり、前記第２のハンドシェーク・トーンはＴＣＭ−ＩＳＤＮタイミング基準（ＴＴＲ）トーンであることを特徴とする請求項４７記載のＡＤＳＬシステム。
【請求項４９】
前記第1のＤＭＴトーンはトーン64であり、前記第2のＤＭＴトーンはトーン32であり、第３のＤＭＴトーンはトーン48であり、第４のＤＭＴトーンはトーン24であることを特徴とする請求項４８記載のＡＤＳＬシステム。
【請求項５０】
前記ＡＴＵ−ＣおよびＡＴＵ−Ｒは、ＴＣＭ−ＩＳＤＮネットワークを経由して双方向性通信されることを特徴とする請求項４０記載のＡＤＳＬシステム。
【請求項５１】
リモート高速ＡＤＳＬ端末（HSTU-R）と双方向性離散的多重音声（ＤＭＴ）通信する電話局高速ＡＤＳＬ端末（HSTU-C）で構成した非同期デジタル加入者回線（ＡＤＳＬ）システムにおける、ハンドシェーク検知を改善する方法において：
第1のシンボル率でキャリアセットの第1のサブセット経由でHSTU-CからHSTU-Rへ、ハンドシェーク信号を送信するステップと；
第１のシンボル率より少ないシンボル率である第2のシンボル率で、キャリアセットの第2のサブセット経由でHSTU-CからHSTU-Rへ、ハンドシェーク信号を送信するステップ；
とで構成したことを特徴とするハンドシェーク検知を改善する方法。
【請求項５２】
前記第1のシンボル率が、１秒につき539.0625のシンボルであることを特徴とする請求項５１記載のハンドシェーク検知を改善する方法。
【請求項５３】
前記第2のシンボル率が、1秒につき269.53125のシンボルであることを特徴とする請求項５２記載のハンドシェーク検知を改善する方法。
【請求項５４】
前記第2のシンボル率が、1秒につき269.53125のシンボルであることを特徴とする請求項５１記載のハンドシェーク検知を改善する方法。
【請求項５５】
前記ハンドシェーク信号は、前記第１および第２のキャリアセットのために前記第1のシンボル率で実行されるHSTU-CおよびHSTU-R間のハンドシェークが失敗した後に、前記第2のシンボル率でキャリアセットの前記第2のサブセットを経由して送信されることを特徴とする請求項５１記載のハンドシェーク検知を改善する方法。
【請求項５６】
キャリアセットの前記第2のサブセットには、キャリアセットの前記第1のサブセットに存在するノイズより大きいノイズを有するキャリアセットを含むことを特徴とする請求項５１記載のハンドシェーク検知を改善する方法。
【請求項５７】
前記ノイズには、近端漏話を含むことを特徴とする請求項５６記載のハンドシェーク検知を改善する方法。
【請求項５８】
キャリアセットの前記第2のサブセットには、キャリアセットC43を含むことを特徴とする請求項５１記載のハンドシェーク検知を改善する方法。
【請求項５９】
キャリアセットの前記第2のサブセットには、キャリアセットA43を含むことを特徴とする請求項５１記載のハンドシェーク検知を改善する方法。
【請求項６０】
前記HSTU-CおよびHSTU-Rは、ＴＣＭ−ＩＳＤＮネットワークを経由した双方向性通信が可能であることを特徴とする請求項５１記載のハンドシェーク検知を改善する方法。
【請求項６１】
更に前記HSTU-Rで、前記第2のシンボル率を識別するためにキャリアセットの前記第2のサブセットを経由して、前記HSTU-Cにより送信される前記ハンドシェーク信号の一定の時間窓で、位相変化の数を検出するステップを含むことを特徴とする請求項５１記載のハンドシェーク検知を改善する方法。
【請求項６２】
更に前記識別されたハンドシェーク・シンボル送信率で前記HSTU-Rから、少なくとも一つのハンドシェーク・シンボルを前記HSTU-Cで受信するステップを含むことを特徴とする請求項６１記載のハンドシェーク検知を改善する方法。
【請求項６３】
前記ハンドシェーク信号の一定の時間窓で位相変化の数を検出する前記ステップは；
前記HSTU-Cにより送信された前記ハンドシェーク信号を、一定の時間窓のためのサブ・シンボルの第１のサブ・シンボルと、該第1のサブ・シンボルに続く第2のサブ・シンボルに分離するステップと；
前記第1のサブ・シンボルの各々に高速フーリエ変換を実行するステップと；
前記第1のサブ・シンボルの各々に高速フーリエ変換を実行した結果を合計するステップと；
前記第２のサブ・シンボルの各々に高速フーリエ変換を実行した結果を合計するステップと；
前記時間窓の中で前記ハンドシェーク信号の前記位相変化の数を決定するために、前記第1のサブ・シンボルから得られた前記合計結果と、前記第２のサブ・シンボルから得られた前記合計結果を掛け合わせるステップ；
とで構成されることを特徴とする請求項６１記載のハンドシェーク検知を改善する方法。
【請求項６４】
前記時間窓の中で検出された位相変化の数は、前記識別された第2のシンボル率と比例していることを特徴とする請求項６３記載のハンドシェーク検知を改善する方法。
【請求項６５】
前記位相変化の数が、前記第2のシンボル率と関連する位相変化の数の最小数以上の場合は、前記第2のシンボル率は前記HSTU-Rにより識別されることを特徴とする請求項６３記載のハンドシェーク検知を改善する方法。
【請求項６６】
リモート高速ＡＤＳＬ端末（HSTU-R：remote High Speed ADSL Terminating Unit）と双方向性離散的多重音声（ＤＭＴ）通信する電話局高速ＡＤＳＬ端末(HSTU-C)で構成した非同期デジタル加入者回線（ＡＤＳＬ）システムにおける、ハンドシェーク検知の堅牢性を改善する方法において：
第1のシンボル率でHSTU-CおよびHSTU-R間で、ＤＭＴ送信帯域幅のキャリアセットの第1のサブサブセットを経由して、ハンドシェーク信号を送るステップと；
前記ＤＭＴ送信帯域幅のキャリアセットの第2のサブセット中に近端漏話（ＮＥＸＴ）が存在することを決定するステップと；
キャリアセットの前記第2のサブセットを通じて送信される少なくとも一つのハンドシェーク・シンボルの少なくとも一つのサブ・シンボルが、近端漏話に実質的に影響を受けないように、第2のシンボル率でキャリアセットの前記第2のサブセットを経由して、少なくとも一つの前記ハンドシェーク・シンボルを送信するステップ；
とで構成されたことを特徴とするハンドシェーク検知の堅牢性を改善する方法。
【請求項６７】
前記第1のシンボル率が、1秒につき539.0625のシンボルであることを特徴とする請求項６６記載のハンドシェーク検知の堅牢性を改善する方法。
【請求項６８】
前記第2のシンボル率が、1秒につき269.53125のシンボルであることを特徴とする請求項６７記載のハンドシェーク検知の堅牢性を改善する方法。
【請求項６９】
前記第2のシンボル率が、1秒につき269.53125のシンボルであることを特徴とする請求項６６記載のハンドシェーク検知の堅牢性を改善する方法。
【請求項７０】
キャリアセットの前記第2のサブセットが、キャリアセットC43であることを特徴とする請求項６６記載のハンドシェーク検知の堅牢性を改善する方法。
【請求項７１】
キャリアセットの前記第2のサブセットが、キャリアセットA43であることを特徴とする請求項６６記載のハンドシェーク検知の堅牢性を改善する方法。
【請求項７２】
非同期デジタル加入者回線（ＡＤＳＬ）システムにおいて：
電話局高速ＡＤＳＬ端末(HSTU-C)と；
前記HSTU-Cと双方向性離散的多重音声（ＤＭＴ）通信するリモート高速ＡＤＳＬ端末（HSTU-R）とで構成する非同期デジタル加入者回線（ＡＤＳＬ）システムであって；
前記HSTU-Cは：
第1のシンボル率でキャリアセットの第1のサブセットを経由して、ハンドシェーク信号をHSTU-Rに送信し；
さらに前記第1のシンボル率より少ない第2のシンボル率で、キャリアセットの第2のサブセットを経由して、ハンドシェーク信号をHSTU-Rに送信するように構成されたことを特徴とするADSLシステム。
【請求項７３】
前記第1のシンボル率が、１秒につき539.0625のシンボルであることを特徴とする請求項７２記載のADSLシステム。
【請求項７４】
前記第2のシンボル率が、1秒につき269.53125のシンボルであることを特徴とする請求項７３記載のADSLシステム。
【請求項７５】
前記第2のシンボル率が、1秒につき269.53125のシンボルであることを特徴とする請求項７２記載のADSLシステム。
【請求項７６】
前記HSTU-Cは、前記第１および第２のキャリアセットのために前記第1のシンボル率で実行されるHSTU-CおよびHSTU-R間のハンドシェークが失敗した後に、前記第2のシンボル率でキャリアセットの前記第2のサブセットを経由して、前記ハンドシェーク信号を送信するように構成されたことを特徴とする請求項７２記載のADSLシステム。
【請求項７７】
キャリアセットの前記第2のサブセットには、キャリアセットの前記第1のサブセットに存在するノイズより大きいノイズ干渉を有するキャリアセットを含むことを特徴とする請求項７２記載のADSLシステム。
【請求項７８】
前記ノイズ干渉には、近端漏話を含むことを特徴とする請求項７２記載のADSLシステム。
【請求項７９】
キャリアセットの前記第2のサブセットには、キャリアセットC43を含むことを特徴とする請求項７２記載のADSLシステム。
【請求項８０】
キャリアセットの前記第2のサブセットには、キャリアセットA43を含むことを特徴とする請求項７２記載のADSLシステム。
【請求項８１】
前記HSTU-CおよびHSTU-Rは、ＴＣＭ−ＩＳＤＮネットワークを経由した双方向性通信が可能であることを特徴とする請求項７２記載のADSLシステム。
【請求項８２】
リモート高速ＡＤＳＬ端末（HSTU-R：remote High Speed ADSL Terminating Unit）と、双方向性離散的多重音声（ＤＭＴ）通信する電話局高速ＡＤＳＬ端末(HSTU-C)で構成した非同期デジタル加入者回線（ＡＤＳＬ）システムで用いられるられる、ハンドシェーク検知を改善する方法において：      
前記HSTU-Rで、ハンドシェーク信号のシンボル率を識別するために、前記HSTU-Cにより送信されたハンドシェーク信号の一定の時間窓の中で、位相変化の数を検出するステップで構成されていることを特徴とするハンドシェーク検知を改善する方法。
【請求項８３】
更に前記識別されたシンボル率でHSTU-RからHSTU-Cへ承認シンボルを送信するステップを含むことを特徴とする請求項８２記載のハンドシェーク検知を改善する方法。
【請求項８４】
更に前記HSTU-Cで、少なくとも一つのハンドシェーク・シンボルを、前記HSTU-Rで、識別されたシンボル率で受信するステップを含むことを特徴とする請求項８２記載のハンドシェーク検知を改善する方法。
【請求項８５】
前記ハンドシェーク信号のシンボル率を識別するために、前記HSTU-Cにより送信された前記ハンドシェーク信号の一定の時間窓中の位相変化の数を検出するステップは：
前記HSTU-Cにより送信された前記ハンドシェーク信号を、一定の時間窓のためのサブ・シンボルの第１のサブ・シンボルと、該第1のサブ・シンボルに続く第2のサブ・シンボルに分離するステップと；
前記第1のサブ・シンボルの各々に高速フーリエ変換を実行するステップと；
前記第1のサブ・シンボルの各々に高速フーリエ変換を実行した結果を合計するステップと；
前記第２のサブ・シンボルの各々に高速フーリエ変換を実行した結果を合計するステップと；そして
前記時間窓の中でハンドシェーク信号の位相変化の数を決定するために、前記第1のサブ・シンボルから得られた前記合計結果と、前記第２のサブ・シンボルから得られた前記合計結果を掛け合わせるステップ；とで構成されたことを特徴とする請求項８２記載のハンドシェーク検知を改善する方法。
【請求項８６】
前記時間窓の中で検出された位相変化の数は、前記識別された第2のシンボル率と比例するように構成されたことを特徴とする請求項８２記載のハンドシェーク検知を改善する方法。
【請求項８７】
前記位相変化の数が、前記第2のシンボル率と関連する位相変化の数最小数以上の場合は、前記第2のシンボル率は、前記HSTU-Rにより識別されるように構成されたことを特徴とする請求項８２記載のハンドシェーク検知を改善する方法。
【請求項８８】
従来の電話システム（ＰＯＴＳ）経由の非同期デジタル加入者回線（ＡＤＳＬ）オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
略0kHzで略-97.5のデシベル-ミリワット／１周波数（dBm/Hz）；
略4kHzで略-97.5dBm/Hz；
略4kHzで略-92.5dBm/Hz；
略25kHzで略-36.5dBm/Hz；
略1104kHzで略-36.5dBm/Hz；
略2208kHzで略-46.5dBm/Hz；
略3925kHzで略-101.5dBm/Hz；
略8500kHzで略-101.5dBm/Hz；
略8500kHzで略-103.5dBm/Hz；そして
略11040kHzで略-103.5dBm/Hz；
であるように構成されたことを特徴とするパワー・スペクトル密度（ＰＳＤ）マスク。
【請求項８９】
従来の電話システム（ＰＯＴＳ）経由の非同期デジタル加入者回線（ＡＤＳＬ）非オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
略0kHzで略-97.5のデシベル-ミリワット／１周波数（dBm/Hz）；
略4kHzで略-97.5dBm/Hz；
略80kHzで略-72.5dBm/Hz；
略138kHzで略-36.5dBm/Hz；
略1104kHzで略-36.5dBm/Hz；
略2208kHzで略-46.5dBm/Hz；
略3925kHzで略-101.5dBm/Hz；
略8500kHzで略-101.5dBm/Hz；
略8500kHzで略-103.5dBm/Hz；そして、
略11040kHzで略-103.5dBm/Hz；
であるように構成されたことを特徴とするパワー・スペクトル密度（ＰＳＤ）マスク。
【請求項９０】
従来の電話システム（ＰＯＴＳ）経由の非同期デジタル加入者回線（ＡＤＳＬ）オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
略0kHzで略-97.5のデシベル-ミリワット／１周波数（dBm/Hz）；
略4kHzで略-97.5dBm/Hz；
略4kHzで略-92.5dBm/Hz；
略25kHzで略-56.5dBm/Hz；
略1104kHzで略-56.5dBm/Hz；
略2208kHzで略-46.5dBm/Hz；
略3925kHzで略-101.5dBm/Hz；
略8500kHzで略-101.5dBm/Hz；
略8500kHzで略-103.5dBm/Hz；そして、
略11040kHzで略-103.5dBm/Hz；
であるように構成されたことを特徴とするパワー・スペクトル密度（ＰＳＤ）マスク。
【請求項９１】
従来の電話システム（ＰＯＴＳ）経由の非同期デジタル加入者回線（ＡＤＳＬ）非オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
略0kHzで略-97.5のデシベル-ミリワット／１周波数（dBm/Hz）；
略4kHzで略-97.5dBm/Hz；
略80kHzで略-92.5dBm/Hz；
略138kHzで略-56.5dBm/Hz；
略1104kHzで略-56.5dBm/Hz；
略2208kHzで略-46.5dBm/Hz；
略3925kHzで略-101.5dBm/Hz；
略8500kHzで略-101.5dBm/Hz；
略8500kHzで略-103.5dBm/Hz；そして、
略11040kHzで略-103.5dBm/Hz；
であるように構成されたことを特徴とするパワー・スペクトル密度（ＰＳＤ）マスク。
【請求項９２】
従来の電話システム（ＰＯＴＳ）経由の非同期デジタル加入者回線（ＡＤＳＬ）オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
略0kHzで略-90のデシベル-ミリワット／１周波数（dBm/Hz）；
略93.1kHzで略-90dBm/Hz；
略209kHzで略-62dBm/Hz；
略255kHzで略-36.5dBm/Hz；
略1104kHzで略-36.5dBm/Hz；
略2208kHzで略-46.5dBm/Hz；
略3925kHzで略-101.5dBm/Hz；
略8500kHzで略-101.5dBm/Hz；
略8500kHzで略-103.5dBm/Hz；そして、
略11040kHzで略-103.5dBm/Hz；
であるように構成されたことを特徴とするパワー・スペクトル密度（ＰＳＤ）マスク。
【請求項９３】
従来の電話システム（ＰＯＴＳ）経由の非同期デジタル加入者回線（ＡＤＳＬ）オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
略0kHzで略-90のデシベル-ミリワット／１周波数（dBm/Hz）、  
略93.1kHzで略-90dBm/Hz；
略209kHzで略-62dBm/Hz；
略255kHzで略-56.5dBm/Hz；
略1104kHzで略-56.5dBm/Hz；
略2208kHzで略-46.5dBm/Hz；
略3925kHzで略-101.5dBm/Hz；
略8500kHzで略-101.5dBm/Hz；
略8500kHzで略-103.5dBm/Hz；そして、
略11040kHzで略-103.5dBm/Hz；
であるように構成されたことを特徴とするパワー・スペクトル密度（ＰＳＤ）マスク。
【請求項９４】
従来の電話システム（ＰＯＴＳ）経由の非同期デジタル加入者回線（ＡＤＳＬ）オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
0±5%kHzで-97.5±５％のデシベル-ミリワット／１周波数（dBm/Hz）；
4±5%kHzで-97.5±5%dBm/Hz；
4±5%kHzで-92.5±5%dBm/Hz；
25±5%kHzで-36.5±5%dBm/Hz；
1104±5%kHzで-36.5±5%dBm/Hz；
2208±5%kHzで-46.5±5%dBm/Hz；
3925±5%kHzで-101.5±5%dBm/Hz；
8500±5%kHzで-101.5±5%dBm/Hz；
8500±5%kHzで-103.5±5%dBm/Hz；そして、
11040±5%kHzで-103.5±5%dBm/Hz；
であるように構成されたことを特徴とするパワー・スペクトル密度（ＰＳＤ）マスク。
【請求項９５】
従来の電話システム（ＰＯＴＳ）経由の非同期デジタル加入者回線（ＡＤＳＬ）非オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
0±5%kHzで-97.5±５％のデシベル-ミリワット／１周波数（dBm/Hz）；
4±5%kHzで-97.5±5%dBm/Hz；
80±5%kHzで-72.5±5%dBm/Hz；
138±5%kHzで-36.5±5%dBm/Hz；
1104±5%kHzで-36.5±5%dBm/Hz；
2208±5%kHzで-46.5±5%dBm/Hz；
3925±5%kHzで-101.5±5%dBm/Hz；
8500±5%kHzで-101.5±5%dBm/Hz；
8500±5%kHzで-103.5±5%dBm/Hz；そして、
11040±5%kHzで-103.5±5%dBm/Hz；
であるように構成されたことを特徴とするパワー・スペクトル密度（ＰＳＤ）マスク。
【請求項９６】
従来の電話システム（ＰＯＴＳ）経由の非同期デジタル加入者回線（ＡＤＳＬ）オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
0±5%kHzで-97.5±５％のデシベル-ミリワット／１周波数（dBm/Hz）；
4±5%kHzで-97.5±5%dBm/Hz；
4±5%kHzで-92.5±5%dBm/Hz；
25±5%kHzで-56.5±5%dBm/Hz；
1104±5%kHzで-56.5±5%dBm/Hz；
2208±5%kHzで-46.5±5%dBm/Hz；
3925±5%kHzで-101.5±5%dBm/Hz；
8500±5%kHzで-101.5±5%dBm/Hz；
8500±5%kHzで-103.5±5%dBm/Hz；そして、
11040±5%kHzで-103.5±5%dBm/Hz；
であるように構成されたことを特徴とするパワー・スペクトル密度（ＰＳＤ）マスク。
【請求項９７】
従来の電話システム（ＰＯＴＳ）経由の非同期デジタル加入者回線（ＡＤＳＬ）非オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
0±5%kHzで-97.5±５％のデシベル-ミリワット／１周波数（dBm/Hz）；
4±5%kHzで-97.5±5%dBm/Hz；
80±5%kHzで-92.5±5%dBm/Hz；
138±5%kHzで-56.5±5%dBm/Hz；
1104±5%kHzで-56.5±5%dBm/Hz；
2208±5%kHzで-46.5±5%dBm/Hz；
3925±5%kHzで-101.5±5%dBm/Hz；
8500±5%kHzで-101.5±5%dBm/Hz；
8500±5%kHzで-103.5±5%dBm/Hz；そして、
11040±5%kHzで-103.5±5%dBm/Hz；
であるように構成されたことを特徴とするパワー・スペクトル密度（ＰＳＤ）マスク。
【請求項９８】
従来の電話システム（ＰＯＴＳ）経由の非同期デジタル加入者回線（ＡＤＳＬ）オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
0±5%kHzで-90.5±５％のデシベル-ミリワット／１周波数（dBm/Hz）；
93.1±5%kHzで-90.5±5%dBm/Hz；
209±5%kHzで-62±5%dBm/Hz；
255±5%kHzで-36.5±5%dBm/Hz；
1104±5%kHzで-36.5±5%dBm/Hz；
2208±5%kHzで-46.5±5%dBm/Hz；
3925±5%kHzで-101.5±5%dBm/Hz；
8500±5%kHzで-101.5±5%dBm/Hz；
8500±5%kHzで-103.5±5%dBm/Hz；そして、
11040±5%kHzで-103.5±5%dBm/Hz；
であるように構成されたことを特徴とするパワー・スペクトル密度（ＰＳＤ）マスク。
【請求項９９】
従来の電話システム（ＰＯＴＳ）経由の非同期デジタル加入者回線（ＡＤＳＬ）オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
0±5%kHzで-90.5±５％のデシベル-ミリワット／１周波数（dBm/Hz）；
93.1±5%kHzで-90.5±5%dBm/Hz；
209±5%kHzで-62±5%dBm/Hz；
255±5%kHzで-56.5±5%dBm/Hz；
1104±5%kHzで-56.5±5%dBm/Hz；
2208±5%kHzで-46.5±5%dBm/Hz；
3925±5%kHzで-101.5±5%dBm/Hz；
8500±5%kHzで-101.5±5%dBm/Hz；
8500±5%kHzで-103.5±5%dBm/Hz；そして、
11040±5%kHzで-103.5±5%dBm/Hz；
であるように構成されたことを特徴とするパワー・スペクトル密度（ＰＳＤ）マスク。
【発明の詳細な説明】
【技術分野】
【０００１】
「関連出願の説明」
本発明は、2002年7月25日に出願された米国仮出願番号第60/398,124、および2002年7月30日に出願された米国仮出願番号第60/399,135号の優先権を主張する。そして、それら全部は本願明細書において引用される。
【０００２】
「本発明の技術分野」
本発明は一般に非対称型デジタル加入者回線（ＡＤＳＬ）システム、特にＡＤＳＬシステムでの通信効率を改良するシステムと方法に関する。
【背景技術】
【０００３】
「本発明の技術的背景」
インターネットおよび、その他の大容量コンテンツを送る電子通信システムの需要増大につれて、サービス提供者およびそれらのユーザの間でのデータ送信を容易にするために、信頼性が高く、かつ入手容易な高帯域通信媒体に対する大きな必要性が存在する。その種の通信媒体をユーザが容易に入手できるようにする要求に関して、ユーザに低価格のサービスを提供する方法としては、殆どの場所で既に存在する通信インフラを用いることが考えられる。したがって、近年このような要求を広く満たすものに、ケーブルテレビ（ＣＡＴＶ）および従来の銅線電話システム（ＰＯＴＳ）の２つ、あるいは統合サービスデジタル通信網（ＩＳＤＮ）が挙げられる。
【０００４】
特に広帯域、或いは「ブロードバンド」データ送信率で、データ送信するＰＯＴＳ電話線やＩＳＤＮ通信線の利用に関して、多くのデジタル加入者回線（ＤＳＬ）用標準規格およびプロトコルが提案されている。ＤＳＬは、高データ送信率で銅線を経由してパケットを送るために、さまざまな時間領域均等化技術を使用して信号をフォーマット化する操作を行なっている。従来のＤＳＬに関する標準技術の一つとして、非対称型デジタル加入者回線（ＡＤＳＬ）がよく知られており、このＡＤＳＬは、データの上り方向の通信速度を犠牲にして、下り方向（つまりプロバイダーからユーザ方向）で高速通信速度が得られる能力があるために有利であると考えられている。従って最も普通に使用される通信方向で高速通信が可能であることによって、最終ユーザのコストをミニマイズすることが出来る。更にＡＤＳＬは、従来のＰＯＴＳ、統合サービスデジタル通信網（ＩＳＤＮ）サービス、さらに高速二重（同時の双方向の）デジタルデータサービスをサポートする単一の撚り線通信ケーブル経由の信号を使用するシステムを提供する。
【０００５】
ＡＤＳＬのために提唱された標準規格のうちの２つは、国際電気通信連合のデータ通信標準化セクション（ＩＴＵ−Ｔ）に記載される。第１の従来型ＡＤＳＬ標準規格は、ＩＴＵ−Ｔ勧告G.９９２.１の「非対称型デジタル加入者回線（ＡＤＳＬ）トランシーバ」に記載されており、これは本願明細書で引用される。第２のＡＤＳＬに関する、より最近提案された標準規格は、G.９９２.２または「G.lite」標準規格である。そして、更にＩＴＵ−Ｔ勧告G.９９２.２の「スプリッターを用いない非対称型デジタル加入者回線（ＡＤＳＬ）トランシーバ」にも記載されており、これらはそのまま全て本願明細書において引用される。このG.lite標準規格は、G.９９２.１標準規格の異型であり、主にスプリッターの無い通信環境で（すなわち、音声トラヒックをデジタルデータ・トラヒックから切り離すリモートユーザでスプリッター無しで）主に稼動するために、変更が加えられている。
【０００６】
電話局のＡＤＳＬトランシーバ装置（ＡＴＵ−Ｃ）と、端末側のリモート・ＡＤＳＬトランシーバ装置（ＡＴＵ−Ｒ）間の実際のデータ送信に先立ち、両者は初期化手続を最初に行ない、双方を慣れ親しませ、現在の通信セッションのバンド幅能力を認識し合い、更に有効な接続を確立する。国際電気通信連合によって設けられたＡＤＳＬ標準規格、つまりデータ通信共通化セクター（ＩＴＵ−Ｔ）に従って、これらの初期化手順には以下の通信セッションが含まれる。１）ハンドシェーク手順、２）トランシーバの準備セッション、３）チャネル分析セッション、４）データ交換セッション、そして、最後に５）「ショータイム」と称する実際のデータ送信セッションである。
【０００７】
上述のハンドシェーク手順の詳細は、ＩＴＵ−Ｔ勧告G.９９４.１−「デジタル加入者回線（ＤＳＬ）トランシーバのためのハンドシェーク手順」に記載されており、この内容は本願明細書において引用される。このハンドシェーク手順は、双方の対応する構成要素が各々間の通信セッションを始められるように設計されており、一般には予め定められたフォーマットを有する幾つかの特定メッセージの交換が含まれている。この種のメッセージ例には、以下のメッセージが含まれる。つまり能力リストおよび能力リストの要求メッセージ；モード選択およびモード要求メッセージ；さまざまなアクノリッジおよび否定アクノリッジのメッセージ等である。上記各々のメッセージは、プロトコル通信の必要条件を満たすことを確認するプロトコルプロセッサによって通常は生成される。
【発明の開示】
【発明が解決しようとする課題】
【０００８】
上述のさまざまなＩＴＵ−Ｔ勧告は、さまざまな地理学的位置におけるＡＤＳＬ開発者へ指針を与える為に設計されているので、この一般的な勧告が実装される手法に影響を与える異なる事情が、存在し得る。したがって、特に一般の勧告が採用された時の特定のシナリオに対する効果を、項目別に列挙する勧告のアネックッス（特別規定）が定められている。例えば、これらのＩＳＤＮシステムによって発生するノイズや他の通信干渉、およびこれらの既存システム中でＡＤＳＬ開発に内在する潜在的悪影響等の為に、これらのシステムが稼動している地域では、ＡＤＳＬが稼動する際には比較的重大な通信効率の限界が存在する。本願に関連する事項として、従来のＴＣＭ−ＩＳＤＮ（時圧縮多重方式ＩＳＤＮ）電話線の大規模ネットワーク効果が挙げられる。すなわちG.992.1勧告のアネックスＣが、直接この種の通信環境に関連する。
【０００９】
従来技術において既に理解されているように、ＴＣＭ−ＩＳＤＮのデータストリームは、一個又は複数個のＴＣＭ−ＩＳＤＮタイミング基準（ＴＴＲ）期間内で送信される。このようなシステムでは、ＣＯ（センター側、つまり電話局）は、ＴＴＲ期間の前半にデータストリームを送信する。そして、ＣＰＥ（顧客の端末装置）は、ＴＴＲ期間の後半にデータストリームを送信する。したがって、対応するＡＤＳＬシステムでは、ＡＴＵ−Ｃ（センター側の端末）は、概してＴＴＲ期間の前半にＩＳＤＮからＮＥＸＴ（Near-End Cross Talk、つまり近終端漏話）ノイズを受信し、ＴＴＲ期間の後半ではＩＳＤＮからＦＥＸＴ（Far-End Cross Talk、つまり遠端部漏話）ノイズを受信する。反対に、ＡＴＵ−Ｒ（リモート側の端末）は、概してＴＴＲ期間の前半にＩＳＤＮからＦＥＸＴノイズを受信し、ＴＴＲ期間の後半ではＩＳＤＮからＮＥＸＴノイズを受信する。ＮＥＸＴおよびＦＥＸＴノイズ効果を補償するために、加入者線の伝達遅れ時間を考慮して、ＡＴＵ−Ｃはしばしば端末側（ＡＴＵ−Ｒ）のＦＥＸＴＲ（端末側レシーバのＦＥＸＴノイズ）継続時間およびＮＥＸＴＲ（端末側レシーバのＮＥＸＴノイズ）継続時間を推定し、そしてＡＴＵ−Ｒはセンター側（ＡＴＵ−Ｃ）のＦＥＸＴＣ（ＣＯのＦＥＸＴノイズ）継続時間およびＮＥＸＴＣ（ＣＯのＮＥＸＴノイズ）継続時間を推定する。その後に、ＡＴＵ−ＣはＴＴＲCと同期してシンボルを送信する。そして、ＡＴＵ−Ｒは受信したＴＴＲＣに基づいて生成したＴＴＲRと同期してシンボルを送信する。図１は、ＩＳＤＮ/ＡＤＳＬシステムの従来のタイミングモデルを例示する。
【００１０】
ＡＤＳＬ送信でのＮＥＸＴとＦＥＸＴ効果が異なっているために、G.992.1勧告のアネックスＣでは、離散的多重音声（ＤＭＴ）送信プロセスを用いた送信の前に、データをフレーミングする二重ビットマップ（ＤＢＭ）プロセスを実行することを提案している。このようにシンボルは、それらがＮＥＸＴ期間またはＦＥＸＴ期間に送信されるかに依って、異なって生成され、ＡＴＵ−Ｃは初期化の結果により、Ｂｉｔｍａｐ−ＦＲを用いてＦＥＸＴＲシンボルを送信し（ＦＥＸＴＲ継続時間に）、或いはＢｉｔｐｍａｐ−ＮＲを用いてＮＥＸＴＲシンボルを送信する（ＮＥＸＴＲ継続時間に）。同様に同様な方法でＡＴＵ−Ｒは、Ｂｉｔｍａｐ−ＦＣを用いてＦＥＸＴＣシンボルを送信し（ＦＥＸＴＣ継続時間に）、或いはＢｉｔｍａｐ−ＮＣを用いてＮＥＸＴＣシンボルを送信する（ＮＥＸＴＣ継続時間に）。アネックスＣに依れば、上記のＦＥＸＴＲ／Ｃ送信には１２８個のシンボルが含まれ、ＮＥＸＴＲ／Ｃ送信には２１７個のシンボルが含まれ、合計で３４５個のシンボルから成るハイパーフレームが含まれる。
【００１１】
シンボルの送信を制御する方法として、アネックスＣは、ＡＴＵ−ＣにはＢｉｔｐｍａｐ−ＮＣおよびＢｉｔｍａｐ−ＮＲを使用不能にする能力を持たせ、これによりＮＥＸＴ  ＴＴＲ期間にはパイロット・トーンを除いて全ての送信を不能にするように構成している。この送信モードは従来、ＦＢＭ（FEXT Bitmapped）送信と称されている。このＦＢＭモードは、ＦＥＸＴインターバル期間中だけ、データを送信するＤＢＭ技術が用いられる。したがって、ＡＴＵ−Ｃは、ＮＥＸＴＲシンボルの期間中はパイロット・トーンだけを送信する。その為にＡＴＵ−Ｒは、Ｂｉｔｍａｐ−ＮＣを使用不能にし、ＮＥＸＴＣシンボル期間中は如何なる信号も送信しない。ＡＴＵ−Ｃは、“ＤＢＭ”ビットを用いてG.994.1ハンドシェーキングの間は、ＤＢＭまたはＦＢＭモードを選択する。
【００１２】
本願に関連する他のシナリオには、G.992.1勧告アネックスＡで述べられているＰＯＴＳ周波数帯より上の周波数帯で稼動するＡＤＳＬシステムの要求事項である。よく知られているように、既存のＰＯＴＳシステムとの干渉を回避するために、ＡＤＳＬ信号のパワー・スペクトル密度（ＰＳＤ）のシフトを、特定周波数域で行う必要がある。
【００１３】
ＩＴＵ−Ｔ勧告は上述の数々の通信仕様中で、既存通信システムとの矛盾と干渉を回避するために実施されているが、既存システムに対して悪影響を与えずに、通信システムの効率と適用範囲を改善する必要性がＡＤＳＬ技術には存在し、それにより上述の勧告を改善することが可能である。
【００１４】
さらに既存のＡＤＳＬシステムと設備との互換性を維持し、設備の仕様や技術勧告に最少の変更を加えるだけで済む必要性がＡＤＳＬ技術には存在する。
【課題を解決するための手段】
【００１５】
本発明は、上述の強調される課題を解決して、付加的な効果を実現する。本発明では、現行のG.992.1勧告のアネックスＣおよび／またはアネックスAの範囲内で、ADSLのパフォーマンスや通信距離を改善する方法とシステムを提供し、これには現行の通信機材や上記勧告に対しては、新規のアネックス規定や重大な複雑性を追加する必要がない。これらの動作モードは、C.X動作モードとしてこれまで一般化されている。本願明細書に開示されている方法とシステムは、このガイドラインを用いて当業者が他の勧告内容に記載されているパフォーマンスや通信距離を改善するために、有効に用いることが可能である。
【００１６】
第一の実施例においては、オーバーラップ・スペクトルが、G.992.1勧告にアネックスＣに従った送信で実行される。特に、オーバーラップ・モード及び非オーバーラップ・モードを実行する複数のシステムは、既存のG.992.1勧告によって完全にサポートされている。更に、ＮＥＸＴ干渉を減少させるアネックスＣ記載の（ＦＢＭsOL、DBMsOL）部分的なオーバーラップ・スペクトラは、G.992.1アネックスAで定義されている全オーバーラップ・スペクトルのサブセットとして定義されている。したがって、現行のアネックスＣ定義によりサポートされている為に、DBＭおよびＦＢＭでのオーバーラップ・モードの動作に関する新しいアネックス規定を定める必要はない。加えて、本願で提唱するオーバーラップ・モードを実行する既存のコードポイントの使用は、現行システム動作を妨害せず、更に現行の周波数分割多重方式（FDM）システムとの互換性があり、これにより現行FDMシステムとの逆互換性を確実に得ることが可能となる。
【００１７】
本発明の一実施例よれば、二重ビットマップのスペクトル(DBM) モード下り電文送信のスペクトル形成に用いるパワー・スペクトル密度（ＰＳＤ）マスクにおいて、以下のように特定されることを特徴とするパワー・スペクトル密度（ＰＳＤ）マスクを開示する。
【００１８】
方性式；
2005534256.tif 000003
【００１９】
本発明の他の一実施例よれば、二重ビットマップのスペクトル(DBM)モード下り電文送信のスペクトル形成に用いるパワー・スペクトル密度（ＰＳＤ）マスクにおいて、以下のように特定されることを特徴とするパワー・スペクトル密度（ＰＳＤ）マスクを開示する。
【００２０】
方性式；
2005534256.tif 000004
【００２１】
本発明の他の一実施例よれば、遠隔ＡＤＳＬ端末装置（ＡＴＵ−Ｒ）と双方向性オーバーラップ・スペクトル離散的多重音声（ＤＭＴ）通信する電話局ADSL端末（ＡＴＵ−Ｃ）で構成されている非同期デジタル加入者回線（ＡＤＳＬ）システムで用いる通信方法において：少なくともＡＴＵ−ＣおよびＡＴＵ−Ｒ間の距離の少なくとも一部に基づいて、第1のＤＭＴトーンか第2のＤＭＴトーンで、第1のハンドシェーク・トーンを送信するステップで構成したことを特徴とする通信方法を開示する。ある実施例では、前記第1のハンドシェーク・トーンは、ＡＴＵ−ＣおよびＡＴＵ−Ｒの間の距離が6.2キロメートル未満である時には、前記第１のＤＭＴトーンで送信され、またＡＴＵ−ＣおよびＡＴＵ−Ｒの間の距離が6.2キロメートル以上の時には、前記第1のハンドシェーク・トーンは前記第2のＤＭＴトーンで送信されるように構成したことを特徴とする。ある実施例では、前記第1のハンドシェーク・トーンは、パイロット・トーンであることを特徴とする。他の実施例では、前記第1のＤＭＴトーンはトーン64であり、前記第2のＤＭＴトーンはトーン32であることを特徴とする通信方法を開示する。また他の実施例では、前記第1のハンドシェーク・トーンは、ＴＣＭ−ＩＳＤＮタイミング基準（ＴＴＲ）トーンであり、前記第1のＤＭＴトーンはトーン48であり、第2のＤＭＴトーンはトーン24であることを特徴とする通信方法を開示する。また前記ＡＴＵ−ＣおよびＡＴＵ−Ｒは、ＴＣＭ−ＩＳＤＮネットワークを経由して双方向性通信されることを特徴とする。
【００２２】
更に、少なくともＡＴＵ−ＣおよびＡＴＵ−Ｒ間の距離の少なくとも一部に基づいて、第３のＤＭＴトーンか第４のＤＭＴトーンで、第２のハンドシェーク・トーンを送信するステップで構成したことを特徴とする通信方法を開示する。前記第２のハンドシェーク・トーンは、ＡＴＵ−ＣおよびＡＴＵ−Ｒの間の距離が6.2キロメートル未満である時には、前記第３のＤＭＴトーンで送信され、またＡＴＵ−ＣおよびＡＴＵ−Ｒの間の距離が6.2キロメートル以上の時には、前記第２のハンドシェーク・トーンは前記第４のＤＭＴトーンで送信されるように構成したことを特徴とする。ある実施例では、前記第1のハンドシェーク・トーンは、パイロット・トーンであり、前記第２のハンドシェーク・トーンはＴＣＭ−ＩＳＤＮタイミング基準（ＴＴＲ）トーンであることを特徴とする。また前記第1のＤＭＴトーンはトーン64であり、前記第2のＤＭＴトーンはトーン32であり、第３のＤＭＴトーンはトーン48であり、第４のＤＭＴトーンはトーン24であることを特徴とする通信方法を開示する。
【００２３】
さらに他のある実施例では、非同期デジタル加入者回線（ＡＤＳＬ）システムにおいて：電話局ADSL端末（ＡＴＵ−Ｃ）と；前記ＡＴＵ−Ｃと双方向性オーバーラップ・スペクトル離散的多重音声（ＤＭＴ）通信する遠隔ＡＤＳＬ端末装置（ＡＴＵ−Ｒ）とで構成され；前記電話局ADSL端末（ＡＴＵ−Ｃ）は、少なくともＡＴＵ−ＣおよびＡＴＵ−Ｒ間の距離の少なくとも一部に基づいて、第1のＤＭＴトーンか第2のＤＭＴトーンで、第1のハンドシェーク・トーンを送信するために利用され；前記遠隔ＡＤＳＬ端末装置（ＡＴＵ−Ｒ）は、前記第1のＤＭＴトーンか前記第2のＤＭＴトーンで、前記第1のハンドシェーク・トーンを受信するために利用されるように構成したことを特徴とするＡＤＳＬシステムを開示する。さらに他の実施例では、前記電話局ADSL端末（ＡＴＵ−Ｃ）は、ＡＴＵ−ＣおよびＡＴＵ−Ｒの間の距離が6.2キロメートル未満である時には、前記第1のハンドシェーク・トーンを前記第１のＤＭＴトーンで送信するために利用され；またＡＴＵ−ＣおよびＡＴＵ−Ｒの間の距離が6.2キロメートル以上の時には、前記第1のハンドシェーク・トーンを前記第2のＤＭＴトーンで送信するために利用されるように構成したことを特徴とするＡＤＳＬシステムを開示する。ある実施例では、前記第1のハンドシェーク・トーンは、パイロット・トーンであることを特徴とする。他の実施例では、前記第1のＤＭＴトーンはトーン64であり、前記第2のＤＭＴトーンはトーン32であることを特徴とするＡＤＳＬシステムを開示する。他の実施例では、前記第1のハンドシェーク・トーンは、ＴＣＭ−ＩＳＤＮタイミング基準（ＴＴＲ）トーンであることを特徴とする。また、前記第1のＤＭＴトーンはトーン48であり、第2のＤＭＴトーンはトーン24であることを特徴とするＡＤＳＬシステムを開示する。
【００２４】
前記ＡＴＵ−Ｃは、少なくともＡＴＵ−ＣおよびＡＴＵ−Ｒ間の距離の少なくとも一部に基づいて、前記第３のＤＭＴトーンか前記第４のＤＭＴトーンで、第２のハンドシェーク・トーンを送信し；前記ＡＴＵ−Ｒは、前記第３のＤＭＴトーンか前記第４のＤＭＴトーンで、前記第２のハンドシェーク・トーンを受信するように構成したことを特徴とする請求項４０記載のＡＤＳＬシステムを開示する。前記ＡＴＵ−Ｃは、前記第２のハンドシェーク・トーンを、ＡＴＵ−ＣおよびＡＴＵ−Ｒの間の距離が6.2キロメートル未満である時には、前記第３のＤＭＴトーンで送し；前記ＡＴＵ−Ｃは、ＡＴＵ−ＣおよびＡＴＵ−Ｒの間の距離が6.2キロメートル以上の時には、前記第２のハンドシェーク・トーンを前記第４のＤＭＴトーンで送信するように構成したことを特徴とするＡＤＳＬシステムを開示する。ある実施例では、前記第1のハンドシェーク・トーンは、パイロット・トーンであり、前記第２のハンドシェーク・トーンはＴＣＭ−ＩＳＤＮタイミング基準（ＴＴＲ）トーンであり、前記第1のＤＭＴトーンはトーン64であり、前記第2のＤＭＴトーンはトーン32であり、第３のＤＭＴトーンはトーン48であり、第４のＤＭＴトーンはトーン24であることを特徴とするＡＤＳＬシステムを開示する。
【００２５】
更に、前記電話局ADSL端末（ＡＴＵ−Ｃ）は、ＡＴＵ−ＣおよびＡＴＵ−Ｒの間の距離が6.2キロメートル未満である時には、前記第1のハンドシェーク・トーンを前記第１のＤＭＴトーンで送信するために利用され；またＡＴＵ−ＣおよびＡＴＵ−Ｒの間の距離が6.2キロメートル以上の時には、前記第1のハンドシェーク・トーンを前記第2のＤＭＴトーンで送信するために利用されるように構成したことを特徴とするＡＤＳＬシステムを開示する。
【００２６】
また、リモート高速ＡＤＳＬ端末（HSTU-R）と双方向性離散的多重音声（ＤＭＴ）通信する電話局高速ＡＤＳＬ端末（HSTU-C）で構成した非同期デジタル加入者回線（ＡＤＳＬ）システムにおける、ハンドシェーク検知を改善する方法において：第1のシンボル率でキャリアセットの第1のサブセット経由でHSTU-CからHSTU-Rへ、ハンドシェーク信号を送信するステップと；第１のシンボル率より少ないシンボル率である第2のシンボル率で、キャリアセットの第2のサブセット経由でHSTU-CからHSTU-Rへ、ハンドシェーク信号を送信するステップ；とで構成したことを特徴とするハンドシェーク検知を改善する方法を開示する。前記第1のシンボル率が、１秒につき539.0625のシンボルであり、前記第2のシンボル率が、1秒につき269.53125のシンボルであることを特徴とするハンドシェーク検知を改善する方法を開示する。ある実施例では、前記ハンドシェーク信号は、前記第１および第２のキャリアセットのために前記第1のシンボル率で実行されるHSTU-CおよびHSTU-R間のハンドシェークが失敗した後に、前記第2のシンボル率でキャリアセットの前記第2のサブセットを経由して送信されることを特徴とするハンドシェーク検知を改善する方法を開示する。キャリアセットの前記第2のサブセットには、キャリアセットの前記第1のサブセットに存在するノイズより大きいノイズを有するキャリアセットを含むことを特徴とする。前記ノイズには、近端漏話を含む。キャリアセットの前記第2のサブセットには、キャリアセットC43を含み、キャリアセットの前記第2のサブセットには、キャリアセットA43を含むことを特徴とするハンドシェーク検知を改善する方法を開示する。また．前記HSTU-CおよびHSTU-Rは、ＴＣＭ−ＩＳＤＮネットワークを経由した双方向性通信が可能であることを特徴とするハンドシェーク検知を改善する方法を開示する。
【００２７】
更に、前記HSTU-Rで、前記第2のシンボル率を識別するためにキャリアセットの前記第2のサブセットを経由して、前記HSTU-Cにより送信される前記ハンドシェーク信号の一定の時間窓で、位相変化の数を検出するステップを含むことを特徴とするハンドシェーク検知を改善する方法を開示する。更に前記識別されたハンドシェーク・シンボル送信率で前記HSTU-Rから、少なくとも一つのハンドシェーク・シンボルを前記HSTU-Cで受信するステップを含むことを特徴とする。更に、前記ハンドシェーク信号の一定の時間窓で位相変化の数を検出する前記ステップは；前記HSTU-Cにより送信された前記ハンドシェーク信号を、一定の時間窓のためのサブ・シンボルの第１のサブ・シンボルと、該第1のサブ・シンボルに続く第2のサブ・シンボルに分離するステップと；前記第1のサブ・シンボルの各々に高速フーリエ変換を実行するステップと；前記第1のサブ・シンボルの各々に高速フーリエ変換を実行した結果を合計するステップと；前記第２のサブ・シンボルの各々に高速フーリエ変換を実行した結果を合計するステップと；前記時間窓の中で前記ハンドシェーク信号の前記位相変化の数を決定するために、前記第1のサブ・シンボルから得られた前記合計結果と、前記第２のサブ・シンボルから得られた前記合計結果を掛け合わせるステップ；とで構成されることを特徴とするハンドシェーク検知を改善する方法を開示する。前記時間窓の中で検出された位相変化の数は、前記識別された第2のシンボル率と比例しているか、前記位相変化の数が、前記第2のシンボル率と関連する位相変化の数の最小数以上の場合は、前記第2のシンボル率は前記HSTU-Rにより識別されることを特徴とするハンドシェーク検知を改善する方法を開示する。
【００２８】
更に、リモート高速ＡＤＳＬ端末（HSTU-R：remote High Speed ADSL Terminating Unit）と双方向性離散的多重音声（ＤＭＴ）通信する電話局高速ＡＤＳＬ端末(HSTU-C)で構成した非同期デジタル加入者回線（ＡＤＳＬ）システムにおける、ハンドシェーク検知の堅牢性を改善する方法において：第1のシンボル率でHSTU-CおよびHSTU-R間で、ＤＭＴ送信帯域幅のキャリアセットの第1のサブサブセットを経由して、ハンドシェーク信号を送るステップと；前記ＤＭＴ送信帯域幅のキャリアセットの第2のサブセット中に近端漏話（ＮＥＸＴ）が存在することを決定するステップと；キャリアセットの前記第2のサブセットを通じて送信される少なくとも一つのハンドシェーク・シンボルの少なくとも一つのサブ・シンボルが、近端漏話に実質的に影響を受けないように、第2のシンボル率でキャリアセットの前記第2のサブセットを経由して、少なくとも一つの前記ハンドシェーク・シンボルを送信するステップ；とで構成されたことを特徴とするハンドシェーク検知の堅牢性を改善する方法を開示する。なお、前記第1のシンボル率が、1秒につき539.0625のシンボルであり、前記第2のシンボル率が、1秒につき269.53125のシンボルであることを特徴とするハンドシェーク検知の堅牢性を改善する方法を開示する。また、キャリアセットの前記第2のサブセットが、キャリアセットC43および／又はA43であることを特徴とするハンドシェーク検知の堅牢性を改善する方法を開示する。
【００２９】
更に、非同期デジタル加入者回線（ＡＤＳＬ）システムにおいて：電話局高速ＡＤＳＬ端末(HSTU-C)と；前記HSTU-Cと双方向性離散的多重音声（ＤＭＴ）通信するリモート高速ＡＤＳＬ端末（HSTU-R）とで構成する非同期デジタル加入者回線（ＡＤＳＬ）システムであって；前記HSTU-Cは：第1のシンボル率でキャリアセットの第1のサブセットを経由して、ハンドシェーク信号をHSTU-Rに送信し；さらに前記第1のシンボル率より少ない第2のシンボル率で、キャリアセットの第2のサブセットを経由して、ハンドシェーク信号をHSTU-Rに送信するように構成されたことを特徴とするADSLシステムを開示する。前記第1のシンボル率が、１秒につき539.0625のシンボルであり、前記第2のシンボル率が、1秒につき269.53125のシンボルであることを特徴とする。前記HSTU-Cは、前記第１および第２のキャリアセットのために前記第1のシンボル率で実行されるHSTU-CおよびHSTU-R間のハンドシェークが失敗した後に、前記第2のシンボル率でキャリアセットの前記第2のサブセットを経由して、前記ハンドシェーク信号を送信するように構成されたことを特徴とする。また、キャリアセットの前記第2のサブセットには、キャリアセットC43および／又はA43を含むことを特徴とする。
【００３０】
更に、リモート高速ＡＤＳＬ端末（HSTU-R：remote High Speed ADSL Terminating Unit）と、双方向性離散的多重音声（ＤＭＴ）通信する電話局高速ＡＤＳＬ端末(HSTU-C)で構成した非同期デジタル加入者回線（ＡＤＳＬ）システムで用いられるられる、ハンドシェーク検知を改善する方法において：前記HSTU-Rで、ハンドシェーク信号のシンボル率を識別するために、前記HSTU-Cにより送信されたハンドシェーク信号の一定の時間窓の中で、位相変化の数を検出するステップで構成されていることを特徴とするハンドシェーク検知を改善する方法を開示する。更に前記識別されたシンボル率でHSTU-RからHSTU-Cへ承認シンボルを送信するステップを含むことを特徴とするハンドシェーク検知を改善する方法を開示する。更に前記HSTU-Cで、少なくとも一つのハンドシェーク・シンボルを、前記HSTU-Rで、識別されたシンボル率で受信するステップを含むことを特徴とする。
【００３１】
更に、前記ハンドシェーク信号のシンボル率を識別するために、前記HSTU-Cにより送信された前記ハンドシェーク信号の一定の時間窓中の位相変化の数を検出するステップは：前記HSTU-Cにより送信された前記ハンドシェーク信号を、一定の時間窓のためのサブ・シンボルの第１のサブ・シンボルと、該第1のサブ・シンボルに続く第2のサブ・シンボルに分離するステップと；前記第1のサブ・シンボルの各々に高速フーリエ変換を実行するステップと；前記第1のサブ・シンボルの各々に高速フーリエ変換を実行した結果を合計するステップと；前記第２のサブ・シンボルの各々に高速フーリエ変換を実行した結果を合計するステップと；そして前記時間窓の中でハンドシェーク信号の位相変化の数を決定するために、前記第1のサブ・シンボルから得られた前記合計結果と、前記第２のサブ・シンボルから得られた前記合計結果を掛け合わせるステップ；とで構成されたことを特徴とするハンドシェーク検知を改善する方法を開示する。また前記時間窓の中で検出された位相変化の数は、前記識別された第2のシンボル率と比例するように構成されたことを特徴とする。なお前記位相変化の数が、前記第2のシンボル率と関連する位相変化の数の最小数以上の場合は、前記第2のシンボル率は、前記HSTU-Rにより識別されるように構成されたことを特徴とするハンドシェーク検知を改善する方法を開示する。
【００３２】
ある実施例では、従来の電話システム（ＰＯＴＳ）経由の非同期デジタル加入者回線（ＡＤＳＬ）オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
略0kHzで略-97.5のデシベル-ミリワット／１周波数（dBm/Hz）；
略4kHzで略-97.5dBm/Hz；
略4kHzで略-92.5dBm/Hz；
略25kHzで略-36.5dBm/Hz；
略1104kHzで略-36.5dBm/Hz；
略2208kHzで略-46.5dBm/Hz；
略3925kHzで略-101.5dBm/Hz；
略8500kHzで略-101.5dBm/Hz；
略8500kHzで略-103.5dBm/Hz；そして
略11040kHzで略-103.5dBm/Hz；
であるように構成されたことを特徴とするパワー・スペクトル密度（ＰＳＤ）マスクを開示する。
【００３３】
更に他の実施例では、従来の電話システム（ＰＯＴＳ）経由の非同期デジタル加入者回線（ＡＤＳＬ）非オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
略0kHzで略-97.5のデシベル-ミリワット／１周波数（dBm/Hz）；
略4kHzで略-97.5dBm/Hz；
略80kHzで略-72.5dBm/Hz；
略138kHzで略-36.5dBm/Hz；
略1104kHzで略-36.5dBm/Hz；
略2208kHzで略-46.5dBm/Hz；
略3925kHzで略-101.5dBm/Hz；
略8500kHzで略-101.5dBm/Hz；
略8500kHzで略-103.5dBm/Hz；そして、
略11040kHzで略-103.5dBm/Hz；
であるように構成されたことを特徴とするパワー・スペクトル密度（ＰＳＤ）マスクを開示する。
【００３４】
更に他の実施例では、従来の電話システム（ＰＯＴＳ）経由の非同期デジタル加入者回線（ＡＤＳＬ）オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
略0kHzで略-97.5のデシベル-ミリワット／１周波数（dBm/Hz）；
略4kHzで略-97.5dBm/Hz；
略4kHzで略-92.5dBm/Hz；
略25kHzで略-56.5dBm/Hz；
略1104kHzで略-56.5dBm/Hz；
略2208kHzで略-46.5dBm/Hz；
略3925kHzで略-101.5dBm/Hz；
略8500kHzで略-101.5dBm/Hz；
略8500kHzで略-103.5dBm/Hz；そして、
略11040kHzで略-103.5dBm/Hz；
であるように構成されたことを特徴とするパワー・スペクトル密度（ＰＳＤ）マスクを開示する。
【００３５】
更に他の実施例では、従来の電話システム（ＰＯＴＳ）経由の非同期デジタル加入者回線（ＡＤＳＬ）非オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
略0kHzで略-97.5のデシベル-ミリワット／１周波数（dBm/Hz）；
略4kHzで略-97.5dBm/Hz；
略80kHzで略-92.5dBm/Hz；
略138kHzで略-56.5dBm/Hz；
略1104kHzで略-56.5dBm/Hz；
略2208kHzで略-46.5dBm/Hz；
略3925kHzで略-101.5dBm/Hz；
略8500kHzで略-101.5dBm/Hz；
略8500kHzで略-103.5dBm/Hz；そして、
略11040kHzで略-103.5dBm/Hz；
であるように構成されたことを特徴とするパワー・スペクトル密度（ＰＳＤ）マスクを開示する。
【００３６】
更に他の実施例では、従来の電話システム（ＰＯＴＳ）経由の非同期デジタル加入者回線（ＡＤＳＬ）オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
略0kHzで略-90のデシベル-ミリワット／１周波数（dBm/Hz）；
略93.1kHzで略-90dBm/Hz；
略209kHzで略-62dBm/Hz；
略255kHzで略-36.5dBm/Hz；
略1104kHzで略-36.5dBm/Hz；
略2208kHzで略-46.5dBm/Hz；
略3925kHzで略-101.5dBm/Hz；
略8500kHzで略-101.5dBm/Hz；
略8500kHzで略-103.5dBm/Hz；そして、
略11040kHzで略-103.5dBm/Hz；
であるように構成されたことを特徴とするパワー・スペクトル密度（ＰＳＤ）マスクを開示する。
【００３７】
更に他の実施例では、従来の電話システム（ＰＯＴＳ）経由の非同期デジタル加入者回線（ＡＤＳＬ）オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
略0kHzで略-90のデシベル-ミリワット／１周波数（dBm/Hz）、
略93.1kHzで略-90dBm/Hz；
略209kHzで略-62dBm/Hz；
略255kHzで略-56.5dBm/Hz；
略1104kHzで略-56.5dBm/Hz；
略2208kHzで略-46.5dBm/Hz；
略3925kHzで略-101.5dBm/Hz；
略8500kHzで略-101.5dBm/Hz；
略8500kHzで略-103.5dBm/Hz；そして、
略11040kHzで略-103.5dBm/Hz；
であるように構成されたことを特徴とするパワー・スペクトル密度（ＰＳＤ）マスクを開示する。
【００３８】
なお上述の「略」ないし「略で」とは、記載された数値の好ましくは±１％以内、より好ましくは±３％以内、より好ましくは±５％以内、最も好ましくは±１０％以内、を意味する。例えば、「略100キロヘルツ」は、好ましくは99-101キロヘルツを意味して、より好ましくは、97-103キロヘルツを意味して、さらにより好ましくは95-105キロヘルツを意味して、最も好ましくは90-110キロヘルツを意味する。
【００３９】
ある実施例では、従来の電話システム（ＰＯＴＳ）経由の非同期デジタル加入者回線（ＡＤＳＬ）オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
0±5%kHzで-97.5±５％のデシベル-ミリワット／１周波数（dBm/Hz）；
4±5%kHzで-97.5±5%dBm/Hz；
4±5%kHzで-92.5±5%dBm/Hz；
25±5%kHzで-36.5±5%dBm/Hz；
1104±5%kHzで-36.5±5%dBm/Hz；
2208±5%kHzで-46.5±5%dBm/Hz；
3925±5%kHzで-101.5±5%dBm/Hz；
8500±5%kHzで-101.5±5%dBm/Hz；
8500±5%kHzで-103.5±5%dBm/Hz；そして、
11040±5%kHzで-103.5±5%dBm/Hz；
であるように構成されたことを特徴とするパワー・スペクトル密度（ＰＳＤ）マスクを開示する。
【００４０】
更に他の実施例では、従来の電話システム（ＰＯＴＳ）経由の非同期デジタル加入者回線（ＡＤＳＬ）非オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
0±5%kHzで-97.5±５％のデシベル-ミリワット／１周波数（dBm/Hz）；
4±5%kHzで-97.5±5%dBm/Hz；
80±5%kHzで-72.5±5%dBm/Hz；
138±5%kHzで-36.5±5%dBm/Hz；
1104±5%kHzで-36.5±5%dBm/Hz；
2208±5%kHzで-46.5±5%dBm/Hz；
3925±5%kHzで-101.5±5%dBm/Hz；
8500±5%kHzで-101.5±5%dBm/Hz；
8500±5%kHzで-103.5±5%dBm/Hz；そして、
11040±5%kHzで-103.5±5%dBm/Hz；
であるように構成されたことを特徴とするパワー・スペクトル密度（ＰＳＤ）マスクを開示する。
【００４１】
更に他の実施例では、従来の電話システム（ＰＯＴＳ）経由の非同期デジタル加入者回線（ＡＤＳＬ）オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
0±5%kHzで-97.5±５％のデシベル-ミリワット／１周波数（dBm/Hz）；
4±5%kHzで-97.5±5%dBm/Hz；
4±5%kHzで-92.5±5%dBm/Hz；
25±5%kHzで-56.5±5%dBm/Hz；
1104±5%kHzで-56.5±5%dBm/Hz；
2208±5%kHzで-46.5±5%dBm/Hz；
3925±5%kHzで-101.5±5%dBm/Hz；
8500±5%kHzで-101.5±5%dBm/Hz；
8500±5%kHzで-103.5±5%dBm/Hz；そして、
11040±5%kHzで-103.5±5%dBm/Hz；
であるように構成されたことを特徴とするパワー・スペクトル密度（ＰＳＤ）マスクを開示する。
【００４２】
更に他の実施例では、従来の電話システム（ＰＯＴＳ）経由の非同期デジタル加入者回線（ＡＤＳＬ）非オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
0±5%kHzで-97.5±５％のデシベル-ミリワット／１周波数（dBm/Hz）；
4±5%kHzで-97.5±5%dBm/Hz；
80±5%kHzで-92.5±5%dBm/Hz；
138±5%kHzで-56.5±5%dBm/Hz；
1104±5%kHzで-56.5±5%dBm/Hz；
2208±5%kHzで-46.5±5%dBm/Hz；
3925±5%kHzで-101.5±5%dBm/Hz；
8500±5%kHzで-101.5±5%dBm/Hz；
8500±5%kHzで-103.5±5%dBm/Hz；そして、
11040±5%kHzで-103.5±5%dBm/Hz；
であるように構成されたことを特徴とするパワー・スペクトル密度（ＰＳＤ）マスクを開示する。
【００４３】
更に他の実施例では、従来の電話システム（ＰＯＴＳ）経由の非同期デジタル加入者回線（ＡＤＳＬ）オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
0±5%kHzで-90.5±５％のデシベル-ミリワット／１周波数（dBm/Hz）；
93.1±5%kHzで-90.5±5%dBm/Hz；
209±5%kHzで-62±5%dBm/Hz；
255±5%kHzで-36.5±5%dBm/Hz；
1104±5%kHzで-36.5±5%dBm/Hz；
2208±5%kHzで-46.5±5%dBm/Hz；
3925±5%kHzで-101.5±5%dBm/Hz；
8500±5%kHzで-101.5±5%dBm/Hz；
8500±5%kHzで-103.5±5%dBm/Hz；そして、
11040±5%kHzで-103.5±5%dBm/Hz；
であるように構成されたことを特徴とするパワー・スペクトル密度（ＰＳＤ）マスクを開示する。
【００４４】
更に他の実施例では、従来の電話システム（ＰＯＴＳ）経由の非同期デジタル加入者回線（ＡＤＳＬ）オーバーラップ型スペクトル送信のスペクトル形成に用いるパワー・スペクトル密度（ＰＳＤ）マスクであって、該マスクは、少なくとも部分的には複数のブレークポイントを有し、該複数のブレークポイントが：
0±5%kHzで-90.5±５％のデシベル-ミリワット／１周波数（dBm/Hz）；
93.1±5%kHzで-90.5±5%dBm/Hz；
209±5%kHzで-62±5%dBm/Hz；
255±5%kHzで-56.5±5%dBm/Hz；
1104±5%kHzで-56.5±5%dBm/Hz；
2208±5%kHzで-46.5±5%dBm/Hz；
3925±5%kHzで-101.5±5%dBm/Hz；
8500±5%kHzで-101.5±5%dBm/Hz；
8500±5%kHzで-103.5±5%dBm/Hz；そして、
11040±5%kHzで-103.5±5%dBm/Hz；
であるように構成されたことを特徴とするパワー・スペクトル密度（ＰＳＤ）マスクを開示する。
【発明の効果】
【００４５】
本発明では、現行のG.992.1勧告のアネックスＣおよび／またはアネックスAの範囲内で、ADSLのパフォーマンスや通信距離を改善する方法とシステムを提供し、これには現行の通信機材や上記勧告に対しては、新規のアネックス規定や重大な複雑性を追加する必要がない。これらの動作モードは、C.X動作モードとしてこれまで一般化されている。本願明細書に開示されている方法とシステムは、このガイドラインを用いて当業者が他の勧告内容に記載されているパフォーマンスや通信距離を改善するために、有効に用いることが可能である。
【発明を実施するための最良の形態】
【００４６】
「本発明の詳細な説明」
G.992.1勧告にアネックスAおよびCの要求事項に入っているＡＤＳＬシステムの性能および地理的通信距離を増加させるために、本発明は、ＩＴＵ−Ｔにより示されている既存のG.992.1、G.992.2およびG.994.1勧告を変更する例示的なシステムと方法を開示する。本発明によれば、この種の変更は、ＤＢＭ（Dual Bitmapped:二重ビットマップ）とＦＢＭ(Far-end cross talk Bitmapped:遠端部漏話ビットマップ)を実施すると同時に、周波数スペクトルをオーバーラップした又はオーバーラップしない信号を実施することに関連する。技術的同一性の範囲内または本発明の範囲から逸脱することなく、本願明細書において開示する例示的なシステム及び方法は、実施することが可能である。
【００４７】
最初の事項として、本発明のパフォーマンスを強化している変更は現行のG.992.1/G.992.2標準規格によって、完全にサポートされており、それによって、単純で迅速な実施が可能となる。特に、アネックスＣの「ＡＴＵ−Ｃ下り電文スペクトル・マスク」に関連するG.992.1 のセクション C.4.8.で特定されているように、アネックスＣの下り電文スペクトル（ＰＳＤ）マスクは、アネックスAと同じマスクを使用できる。更に、G.992.1のアネックスAは、セクションA.1.2において、オーバーラップしたスペクトル動作のためのＰＳＤマスクを特定し、またセクション A.1.3では同様に、ＡＤＳＬ上り電文のバンドへの削減されたＮＥＸＴ干渉のためのＰＳＤマスクを特定する（ＦＤＭ（frequency division multiplexing：周波数分割多重化）または非オーバーラップ・スペクトルと一般に呼称する）。上記のように、それがＤＢＭまたはＦＢＭバージョンであっても、このＦＤＭ（周波数分割多重化）は、アネックスＣが用いられる地理的な国では支配的な動作モードである。
【００４８】
さらにまたセクションC.4.8には、ハンドシェークプロセスの間に行われる初期化シーケンスのC-MSG1ビット16が0の値を有するときに、セクション A.1.3において特定されるＰＳＤマスクが用いられることが示されている。逆にC-MSG1ビット16が1にセットされるときは、セクションA.1.2において特定されるＰＳＤマスクが用いられる。G.992.1のアネックスAは、セクションA.1.2.1で、通過帯域スペクトルの最下端は製造業者の自由裁量値であると規定され、またハンドシェーク初期化信号は、インデックスＩから２５５の副搬送波により送信され、このＩの値は製造業者の自由裁量値であると規定する。
【００４９】
アネックスＣ採用の国でオーバーラッピング・スペクトラムを採用するためのサポートを設けることに加えて、現在のG.992.1/G.992.2標準仕様は、この勧告を変更することなくオーバーラップした及び非オーバーラップの適切な調整を可能にしている。「上り及び下り信号を切り離す方法に対する透明性」と名付けられるG.992.1の本体であるセクション10.1.2において、以下のように述べられている。すなわち「製造業者は、上りおよび下り信号を分離する為に、ＦＤＭ（周波数分割多重化）又はエコー・キャンセリング（つまりオーバーラップ・スペクトル）の何れかを用いて、この勧告（G.992.1）を実施することができる。ここで記載されているハンドシェーク初期化手順は、これらの異なる実施態様間の互換性を確実にしている。そしてこの互換性は、上りと下りの制御信号を通常のＦＤＤ（周波数分割デュプレキシング）トランシーバによって用いられる適切な且つより狭い周波数帯で特定すること、さらにオーバーラップしたスペクトル・トランシーバがそのエコーキャンセラを学習できる時間長を定めること、によって行なわれる」と、述べられている。
【００５０】
上記の参照セクションは、異なる実施形態（オーバーラップと非オーバーラップ）が行われる送受信装置の間で、相互の通信ネゴシエーションは必要でないことを示している。下りの送信機（つまりセンターのＣＯ側のオペレータ）は、下りの受信器が有用なスペクトルの全部または一部を処理することを決めることができる間に、フル・スペクトルを送信する選択枝を有している。この点は、セクション 7.11.1.1（「データ副搬送波」というタイトル）において、更に例示されており、以下のように述べられている。すなわち「セクション10.6.6において規定するチャネル分析信号は、最高255個のキャリア（周波数nΔf, n = 1から255）の使用を認めている。このnの下限は、デュプレキシングおよび選択されるサービスオプションに依存する。例えば、オーバーラップされたスペクトルが下りと上り信号を分離するために用いられる場合には、nの下限はＰＯＴＳの分割フィルタで決定される。しかしながら、ＦＤＭ（Frequency division multiplexing: 周波数分割多重化）が用いられる場合には、その下限は下りと上り信号分離フィルタによって設定される。何れの場合にも、これらのろ過器のカットオフ周波数は、完全に製造業者の裁量値であり、用いることが出来るn値の範囲は、（レシーバの）チャネル試算の間に決定される」と規定する。この最後の文は、オーバーラップ領域の使用は、スペクトルの下部を処理するレシーバ能力によって最終的に決定されることを示している。ＦＤＭレシーバは、この下部スペクトルは利用しない。しかしながら、このレシーバが使用しないことは、いかなる事情であっても、その適当な動作を妨げず、またそのパフォーマンスを下げることはない。この点は、異なる製造業者が行なう相互運用性に関する研究室テストにより検証されている。
【００５１】
最後に、オーバーラップ・スペクトルと非オーバーラップ・スペクトル間の適切な相互運用性は、如何なる特殊な取り扱いや、G.992.1に定めたメッセージの交換を必要としないと決定されている。チャネル分析のC-MSG1やR-MSG1メッセージに割り当てられる情報ビット16は、スペクトルの下部を処理する送受信器の能力を表示する。またその通信標準規格では、初期化シーケンスがオーバーラップ・スペクトルと非オーバーラップ・スペクトルを実行する調整ができる為に、C-MSG1とR-MSG1において割振られている情報ビット16は情報用だけに用いられる。
【００５２】
次に図２には、本発明よって実行されるＡＤＳＬシステムのための配置ガイドラインを例示するブロック・ダイヤグラムが示されている。現行のG.992.1およびG.992.2勧告による通信サポートからみて、現行標準通信規格を変更せず、単に標準機器が用いられる方法に対して変更を加えるだけで、99.9%の客先に対してサービス提供が可能であると決定されている。これらの客先は、概してＣＯ（センター側）の約6.2km以内で通信サービスを受けている。しかしながら、更に図1が図示するように、6.2kmおよび7km間の付加的な通信ループ長が、既存の標準規格に軽微な変更を加えることで可能となる。
【００５３】
特にオーバーラップ・スペクトルと非オーバーラップ・スペクトル間で通信を確立するのに必要なハンドシェークの初期化手順に関しては、サブチャンネル・情報フィールドである「G.992.1、アネックスＣの、スペクトル周波数を付設するNpar(3)コーディング−Octet1から4」が、ＣＯ（センター側）およびＣＰＥ（端末側）に対して、低部周波数帯を使用する可能性を知らせるために利用できる。この勧告と関連するNpar(3)フィールドに示すこのスペクトル情報は、現在は情報的な性格についてのみである。対応のビットおよびモードの概要を表1に示す。
【表１】
2005534256.tif 000005
【００５４】
本発明によれば、5つの異なるアネックスＣ動作モードが、アネックスＣ対応するモードとしてサポートされる。特に、XOL、XDD、FBM-SOL、DBM-FDM、FBM-FDMは、G.992.1勧告のアネックスCに記載されたコンベンションアネックスAモードであるDBM-FDMとFBM-FDMと共に,完全にサポートされる。上記の詳細にて説明したように、最初の3つのモードはG.992.1アネックスAにおいて、定められる一般的なオーバーラップ・スペクトル動作のサブセットであり、後2者は非オーバーラップつまり通常のアネックスＣのスペクトル動作である。更に、G.992.1がオーバーラップ・スペクトルとオーバーラップ・スペクトルの適切な調整を確実にする一方で、オーバーラップ・スペクトルを使用または使用しないかは、下り電文の送信機に任され、それによって、この種の能力を持たない下り電文の送信機と簡単な反対方向からの互換性を得るようになっている。
【００５５】
上記に関連して、以下の点が特筆される。すなわちＣＯのオペレータは、概してスペクトル管理の唯一の制御権を有し、もしオペレータがそのループ上の端末でオーバーラップ・モードでの動作することを望まない場合は、そのオペレータは下記の付加的な詳細事項に記載される方法でＡＴＵ−Ｃ送信機を制限するだけで済むことになる。したがって、遠隔端末装置には明白である為に、送受信装置間でオーバーラップ・スペクトルの使用を協議する必要は必ずしもない。すなわち、オーバーラップ・スペクトルの送信を可能にすることは、逆に遠隔端末装置のパフォーマンスまたは接続性には影響を及ぼさない。従って、ある実施例では、いかなるオーバーラップ・モードのXOL、XDD、FBM-SOLは、CO(センター側)のコントロール下に残ることになる。
【００５６】
全二重XOL、または半二重XDDやFBM-SOLで動作するかの決定権は、ある実施例においては、同様に好ましくはCO側のオペレータの制御下のままである。これは従来のFBMモードやDBMモード選択の場合と同様である。更に、ループ上の複数の端末および雑音環境の多様性のために、上記の５つの異なるアネックスＣ動作モードは、電話局の方向で個々に選択可能でもよい。好ましくは1つのモードからもう一方のモードを選ぶ基準は、作業手の裁量に任せてもよい。電話局での制御下でのモードの自動選択またはインテリジェンス選択かを行っても良く、オペレータの裁量に残すアプリケーションも本発明の範囲内である。
【００５７】
特に好ましいXDD動作モードに関して、この動作モードは、下り方向の全二重（ＦＥＸＴおよびＮＥＸＴ）および上り方向の（ＦＥＸＴだけ）各トランスミッションを有したオーバラッピング・スペクトルの利用を特徴とする。上記のためのセットとして、このモードの選択は下り電文の送信器には明らかであり、従ってモードの簡単で効率的な実施が可能となる。
【００５８】
オーバーラップ・スペクトルを用いて、アネックスＣは、３つの半二重モード、FBM-FDM、FBM-SOLおよびXDDについて記述する。ここで後者２つは、最初の１つのスーパセットであり、且つこれら３つのモードは、G.992.1.において規定するより一般的なDBMOLのサブセットである。このG.992.1勧告がDBMOLモードのサブセットとして、上り下り方向の交互あるいは連続送信を可能にしていると理解されなければならない。以下は、明快なビン(bin)選択プロセスの記述であり、このプロセスで、オーバーラップと非オーバーラップの送信実行の調整が可能となり、FBM-FDMとFBM-SOL、およびXDD間の適切な動作を可能とすることが出来る。
【００５９】
前述したように、G.992.1によるオーバーラップと非オーバーラップの送信実行の調整には、送信器側と受信機側間で事前の協議を必要としない。ＡＴＵ−Ｃがチャネル推定フェーズの時にオーバーラップ・スペクトル又は非オーバーラップ・スペクトル（オペレータの裁量で）を送る間に、受信機側はその下り送信されたスペクトルの下部の受信信号を取り扱う能力に応じて、下り送信されたスペクトル内の使用可能なビン（bin）の範囲を決定する。ＡＴＵ−Ｒは、下りデータ配分のために使用した実際のビンをＡＴＵ−Ｃへ送信する。一方ではFBM-FDM及びFBM-SOLプラットフォーム間の相互運用性、又は他方ではモードに関する交渉なしで、DBMOL、XOLとDBM-FDM間の相互運用性を確認するのが、受信機側での明確化プロセスである。
【００６０】
上で記載されているモードに類似して、オーバーラッピング／非オーバーラッピング・スペクトルの受信機側での“明確なビンの選択”原理は、半二重モード、すなわちFBM-FDM、FBM-SOLおよびXDDが連続して相互接続するのを確実にするためにも適用される。さらにオーバーラップ・モードの選択と同様に、“ショータイム時”における下り電文の連続（DBM）または交互（FBM）パターンは、ハンドシェーク初期化期間の間に、ＡＴＵ−Ｃによって、最初に決定され、それからチャネル推定フェーズの間に、信号を連続して又は交互に処理出来るかのＡＴＵ−Ｒ能力によって決定される。特にオーバーラップ／非オーバーラップのビン選択プロセスに類似する点として以下の点が挙げられる。1）初期化の間、交互方式（FBM）又は連続方式（DBM）の下り電文かの選択は、ＡＴＵ−Ｃのコントロール下にある。2）、C.X ＡＴＵ−Ｒ受信機は、ショータイム時での下り電文の送信に用いられるビン配置を選択する：もしC.X受信機がチャネル推定フェーズでＮＥＸＴおよびＦＥＸＴ期間の両方において、信号を検知したら、それは両方の期間でビンを配置し、連続してデータ送信を要求する。しかしながら、ＡＴＵ−Ｃがこの期間に送信しない為に、もしＡＴＵ−Ｒ受信機が、ＮＥＸＴ期間に信号を検知しなかったら、ＡＴＵ−ＲはＦＥＸＴ期間だけビンを配置する。
【００６１】
オーバーラップ／非オーバーラップのビン選択プロセスは、どのようにしてXDDまたはFBM (FEXT Bitmapped) システムが相互運用するかを明らかにする。C.X ＡＴＵ−Ｃに接続するために、連続してデータ処理ができるXDD ＡＴＵ−Ｒは、下りデータ送信を容易にリクエストでき、一方ではFBM ＡＴＵ−Ｒは、初期化のＮＥＸＴ期間中はＡＴＵ−Ｃの送信によっては影響を受けず、ショータイムだけのＦＥＸＴ期間に下り電文の送信をリクエストする。
【００６２】
ＡＴＵ−Ｃ送信機の制御が、FBMおよびDBMの下り電文の動作を許容する一方、FBMおよびDBM上り電文の制御は、G.994.1において規定するDBMビットを経由して行なわれる。これにより、ＡＴＵ−ＣおよびＡＴＵ−Ｒの独立動作が可能となる。従って、C.Xモードの適切な調整を達成するためには、1）ＡＴＵ−Ｃが、上り電文の送信特性に完全な制御権を保ち：ＡＴＵ−Ｃは、上り電文パターンから独立して初期化の間、連続にまたは交互に下り電文を送信することを決めること、そして2）ＡＴＵ−Ｃは上り電文パターンとは独立して、ＡＴＵ−Ｒ信号により適切なＡＴＵ−Ｃを経由する上り電文パターンを制御することが、提示される
【００６３】
この最後の目的を成し遂げるためには、G.994.1のＡＴＵ−Ｃ CL/MSメッセージNpar(2)bit DBMが利用できる。しかしながら、下り上りの送信特性のパターンを分離するためには、下りと上り電文の送信で同時にＦＢＭ動作に必要とするDBMビットの現行定義の制限は、好ましくは解除される。
【００６４】
XDDモードのために、G.994.1のNpar(2)bit DBMが１に設定されると、ＣＰＥ送信機に初期化およびデータモード・フェーズだけにＦＥＸＴの間、上り電文の送信を強いる。ＡＴＵ−Ｃは、ＮＥＸＴおよびＦＥＸＴ期間の間にオーバーラップ・スペクトルを用いて、連続して上り電文の送信を行なう。C.X ＡＴＵ−Ｒは、ＦＥＸＴおよびＮＥＸＴにビンを割り当てて、XDDモードの下り電文では連続して、そして上り電文の送信では交互に稼動することが可能である。FBM専用ＡＴＵ−ＲはＮＥＸＴでビンを割り当てず、本当のＦＢＭモードで動作する。ＦＢＭモードのために、G.994.1に従ってNpar(2)bitDBMを1に設定すると、ＣＰＥ送信機はFBM FDMのために行われる為、初期化およびデータモードにおいてのみＦＥＸＴの間、上り電文を送信する。
【００６５】
G.994.1のうち、表C-3からC-6（それぞれ表2から5）で、次のような仕様変更がセクションC.7.2.1、C.7.2.2、C.7.3.1およびC.7.3.2において推奨される（G.994.1でのＡＴＵ−Ｃ CL/MSメッセージNpar(2) DBM bit定義に関連する）。
【００６６】
（C.7.2.1  CLメッセージ（補充セクション10.2.1））
【表２】
2005534256.tif 000006
【００６７】
（C.7.2.2 MS messages （補充セクション10.2.2））
【表３】
2005534256.tif 000007
【００６８】
（C.7.3.1 CLR messages （補充セクション10.3.1））
【表４】
2005534256.tif 000008
【００６９】
（C.7.3.2 MS messages （補充セクション10.3.2））
【表５】
2005534256.tif 000009
【００７０】
G.922.1のアネックスＣに含まれるＰＳＤマスクをオーバーラップした２つの縮小ＮＥＸＴを追加することに関して、１つはFBMモード用としてのスペクトル形成したオーバーラップ・マスクが定義され、そしてもう一つは、DBMモード用としての定義されている。上りバンドと下りバンドをオーバーラッピングすると、アネックスC下りチャネルの性能改善となり,一方ではこのスペクトル形成は、ケーブル中の他のシステムのスペクトル能力を制御する。dual bit map mode of operation（二重ビットマップ動作モード）用としての形成されたオーバーラップ・マスクは、DBMsOLマスクと一般に呼称され、そして、FEXT bit map mode of operation（FEXTビットマップ動作モード）用としてのマスクはFBMsOLマスクと一般に呼称されている。これらのマスクは、日本の電気通信技術委員会（ＴＴＣ）により設定された規格に従う第一群システム（すなわち、アネックスA、アネックスC、DBM、アネックスC FBMおよびTCM-ISDN）とスペクトルとして互換性を有する。従って、DBMsOLおよびFBMsOLマスクは、性能の向上のためにG.992.1とG.992.2のアネックスCで利用され、NEXTアプリケーションを削減するために提案される。
【００７１】
Dual Bit Map Overlap (DBMOL)ＰＳＤマスクは、現在のＡＤＳＬオーバーラップ・マスクであり、これは、通常の下り電文バンド幅をＰＯＴＳバンド（25.875kHz）より上にまで押し下げて広げ、G.992.1、アネックスA、セクションA1.2に記載されている。同一のマスク定義が、図3および方程式1に示されている。方程式1は、DBMOLのために使用し図3に示すマスクに一致するITU ADSL_OL PSDテンプレートの例示的なフォームを提供する。また表6は、ＰＳＤマスクのブレークポイントを示す。特に明記しない限り、スペクトル管理クラスと関連するＰＳＤマスクは、下記の方程式1に記載するように、ＰＳＤテンプレートさらに3.5デシベル（dB）に等しい点に注意する必要がある。
【数１】
2005534256.tif 000010
【表６】
2005534256.tif 000011
【００７２】
DBM型オーバーラップ（DBMsOL）モードと関連するＰＳＤテンプレートは、好ましくは方程式2により定義される。DBMsOLスペクトル・マスクのレベルは、概してDBMOL全面オーバーマップ・マスクより低く、ITU‐T G.992.1に対応している。DBMsOLは、第一群システム上り電文チャネルとのスペクトル互換性を確実にするために、DBMOL（25.875kHz）より高いハイパス・コーナー周波数（~130 kHz）を呈する。さらにそれは、DBMOLに用いる全面オーバータップ・マスクの第4次ハイパス・フィルタロールオフに対して、第３次ハイパス・フィルタロールオフを使用する。何回ものシュミレーションに基づいて、C.X動作モードの中では、この形成されたオーバーラップ・マスクは、日本のアクセス・ネットワークでの他のシステムと完全にスペクトル的には互換性があると認められた。
【００７３】
【数２】
2005534256.tif 000012
【００７４】
FBMsOLテンプレートは、好ましくは、方程式1により定義されるＰＳＤテンプレートの一般的な形状に従う。DBM上り電文のアネックスＣとスペクトル互換性を確実にするために、FBMsOLでは、ハイパス・コーナー周波数を、略25.875kHzから略32kHzへ移動させる。
【００７５】
本発明の他の実施例においては、日本での高速ADSLに対する需要増大に対応して、新規な高速デュアルビットマップ（high speed dual bit map : HSDBM）システムが、ITU-T G.992.1対応アネックスＣデュアルビットマップ（DBM）モードに基づいて設けられている。HSDBMは、ITU-T勧告G.992.1において規定されているオーバーラップ・スペクトルを利用し、12メガビット/s（Mb/s）のアクセス・スピードで作動するように設計されている。TTC対応シミュレータを使用したスペクトル互換性シュミレーションでは、DBM全面オーバータップ・マスクを用いたシステムで最高1.5kmまで通信可能となり、第一群システムとのスペクトル互換性を維持できることを証明している。DBＭ型オーバラップ（DBMsOL）マスクを用いたシステムでは、最高2.0kmまで通信可能であり、第一群システムとのスペクトル互換性を維持できることが証明されている。このDBMsOLマスクは、XOLおよびC.X用のXDDシステムのために使われているマスクと好ましくは同一である。計算された開発ガイドラインは、HSDBMシステムが第一群システムと同じ通信圏内において利用されるという内容である。
【００７６】
DBMOL下り電文スペクトル・マスクは、G.992.1のアネックスAにあるセクションA1.2に規定のＡＤＳＬオーバーラップ・マスク（ＡＤＳＬ_OL）等価である。ＡＤＳＬ_OLは、下り電文のバンド幅をＰＯＴＳバンド（25.875kHz）まで広げる。方程式3は、DBMOL下り電文のために使用する図3に示すマスクに一致するITU ＡＤＳＬ_OL PSDテンプレートの一例である。
【数３】
2005534256.tif 000013
【００７７】
DBMsOLスペクトル・マスクは、下記の方程式4によって定義されるXOLおよびXDDシステムと同じＰＳＤマスクを好ましくは使用する。しかしながらDBMOLマスクと比較すると、DBMsOLマスクは第3次ハイパス・フィルタ（第4次ハイパス・フィルタに対して）、および略130kHz（25.875kHzに対して）のハイパス・フィルタカットオフ周波数を使用する。
【数４】
2005534256.tif 000014
【００７８】
HSDBMは、DBＭ全面オーバラップ・マスクで略1.5kmまで、およびDBMsOLマスク（DBMOLのスペクトル的に変更バージョン）で略2.0kmまで、という組合せで高性能を成し遂げることが出来る。DBMsOLマスクは、C.XのXOLおよびXDDシステムに使用されているものと同一である。その配備の範囲内では、HSDBMは同じ通信圏内において配置されるときには、スペクトル的に第一群システムと互換性を有する。HSDBMシステムは、従って、同じ配置内では第一群システムで2kmまでの配備に適していている。
【００７９】
本発明の他の実施例によれば、G992.1対応の新しいアネックスが、ＴＣＭ−ＩＳＤＮと同じケーブル束で稼動する2.208メガヘルツ（MHz）バンドＡＤＳＬ拡大スペクトル用に、既存のG992.1アネックスＣに基づいて定められる。以下は、下り電文の送信にある512個のサブキャリアをサポートするG992.1アネックスＣの変更点である。
【００８０】
現在のG.992.1アネックスＣ標準規格は、1.104MHzの下り電文バンド幅をサポートする。本発明の一実施例では、バンド幅は、下り電文サブチャネル数としてNSC=512と定義することで、好ましくは2.208MHzまで広げられる。下りサブチャネル用に絶対数で引用される現行のG.991.1アネックスＣ標準規格の全ての場所は、NSCの関数で変更することが出来る。以下は、この種の変更を例示する：
【００８１】
（C.4.7.2  データサブキャリア（7.11.1.1を変更する）
10.6.6において定められるチャネル分析信号は、NSC-1キャリアの最大値を使用することを認める（周波数n&#68;
ffで、nが１からNSC-1まで）。
【００８２】
（C.4.7.3  ナイキスト周波数（7.11.1.3を変更する））
ナイキスト周波数（#NSC）でのキャリアは、ユーザーデータのためには使用されず、実数である；また他の可能な用途は、更なる研究用である。
【００８３】
（C.4.7.4  逆離散的フーリエ変換による変更（7.11.2を変更する））
変調変更は、2*NSC 実数値 xn と Z間の関係を定義する。
【数５】
2005534256.tif 000015
【００８４】
コンステレーション・エンコーダおよび利得スケーリングは、複素数値Zi.のNSC-1だけを生成する。実数xnの値を生成するためには、入力値（ナイキストが使用されたら、NSC-1複素数値プラスDCでゼロと1つの実数）は、ベクトルZがHermitianシンメトリを有するように増加される。すなわち；
【数６】
2005534256.tif 000016
【００８５】
（C.4.7.5   同期シンボル ( 7.11.3を変更する)）
同期シンボルは、再準備を強制するかもしれないマイクロ中断の後にフレーム境界を回復するのを許可する。データシンボル率、ｖfsymb = 4 kHz、キャリア分離、Df = 4.3125 kHz、およびIDFT サイズ, N=2*NSC、は、5/64*NSCサンプルの周期的プリフィクスを使用できる。すなわち以下のように定義できる。
(2 + 5/64) × NSC × 4.0 = 2*NSC × 4.3125
【００８６】
周期的プリフィクスは、しかしながら、1/8*NSCサンプルに短縮することが出来る。そして、同期シンボル(（2+1/8）x NSCサンプルの名目長と共に)が68個のデータシンボルごとに挿入される。すなわち、以下のように定義できる。
(2 &#43;
1/8)×NSC × 69 &#61;
(2 &#43;
5/64)×NSC × 68
【００８７】
同期シンボル中で使用するデータパターンは、以下の方程式で定義される擬似乱数PRDであってもよい（dn,  ,  fon &#61;
1 to 2*NSC）。
【数７】
2005534256.tif 000017
【００８８】
ビット（d1およびd2）の第１対は、ＤＣおよびナイキストサブキャリア（それらに割振られた電源はゼロであるので、そのビットは効果的に無視される）のために使うことができる。次の対の第１および第２のビットは、それからi=1からNSC-1に対してXi、Yiを定義するために用いられる。
【００８９】
PRDの期間は511ビットだけであるので、d512がd1と等価にセットされる。このd1-d9は、各々の同期シンボルのために再初期化されるので、各々のシンボルは同一データを使用する。パイロットキャリアを変調する2ビットが｛0,0｝で上書きされ、これにより｛＋,＋｝コンステレーションを生成する。
【００９０】
使用されるサブキャリアの最小限の一組は、データ送信のために使用する一組である（すなわちbi＞０）bi＝0が削減されたＰＳＤで使われ、送信PSD関連部分のアネックスA、BおよびCで定義されている。各サブキャリア上への変調データは上記のように定義され、それはどのサブキャリアが使われるかには依存しない。
【００９１】
（C.4.7.6  周期的なプリフィクス（7.12を変更する））
IDFT（Xnで、n＝2*NSC-1/8*NSCから2*NSC-1まで）の出力の最後の1/8*NSCサンプルは、2*NSCサンプルにプリペンドされ、順番にdigital-to-analogueコンバータ（D/A変換器）に読出される。たとえば、NSC=256のとき、D/A変換器サンプルの下付き添字（n）は、順番に480...511, 0 ...511である。10.6.2において定義したように、周期的プリフィクスは、初期化シーケンスのC-RATES1セグメントで始まる全てのシンボル用に使用される。
【００９２】
（C.7.4.4  C-REVERB1（10.4.5を変更する））
C-REVERB1は、ＡＴＵ−ＣおよびＡＴＵ−Ｒレシーバの自動利得制御（ＡＧＣ）を適正レベルに合わせることができる信号である。C-REVERB1で使用するデータパターンは、疑似ランダム下り電文のシーケンス（PRD）であり、方程式７で定める、dnのｎ＝１から2*NSCである。
【００９３】
それらのビットは以下のように使用される。：すなわちビットの第一対（d1およびd2）は、ＤＣおよびナイキスト・サブキャリア（それらに割振られるパワーは、もちろん、ゼロであり、それらのビットは効果的に無視される）のために使われる。それから、次の対の第１および第２のビットは、G.992.1勧告の表7-13において定義したように、Xi とYiで、i =1からNSC-1である。
【００９４】
PRDの期間は511ビットだけであり、d512はd1に等しくセットされる。ビットd1からビットd9は各々のシンボルのために再初期化されるるので、C-REVERB1の各々のシンボルは同一である。パイロットを変更する2つのビットキャリアは｛0,0｝に上書きされ、｛＋、＋｝コンステレーションを生成する。
【００９５】
C-REVERB1の継続期間は、周期的プリフィクスの無い512（反復）シンボルである。
【００９６】
なおNSC=512のとき、PRDは、PRDの2つの期間である1024ビットを通常は生成する。PRDの第一期間だけがn=1から9のそれに初期化されるので、第二期間はPRDの第一期間と比べて完全にランダムであり、従って9ビットPRD発生器は、NSC=512の信号を生成するには充分である。
【００９７】
2005534256.tif 000018
【００９８】
2005534256.tif 000019
【００９９】
ビットマップ-ＮＲが使用不能なら（ＦＥＸＴビットマップモード）、ビットマップ-ＮＲのbiおよびgiはゼロにセットされる。
【０１００】
（C.8.1.1  ビット交換リクエスト（11.2.3を変更する））
受信機がAOCチャネルを経由して送信機にビット交換リクエストを送って、ビット交換を始めることができる。このリクエストは、どのサブキャリアが変更されるかについて送信機に知らせる。リクエストのフォーマットは、G.992.1規定の表C.8に示されている（下記の表7）。
【表７】
2005534256.tif 000020
【０１０１】
このリクエストは、以下の9つのバイトを含む：
＊    8つのバイナリヘッダで構成するAOCメッセージヘッダ（Message header）；
＊    メッセージ・フィールド１−４（Message field 1-4）の各メッセージは、１ビット・ビットマップ・インデックスと、関連する8ビット・サブチャネル・インデックスが続く7ビット・コマンドから成る。１ビット・ビットマップ・インデックスの第2ビットは、サブチャネル・インデックスに対する拡張子であり、ビット交換メッセージのための有効な6ビット・コマンドが表C.9に示されている。
表C.9において、ビット交換リクエスト・コマンドのためのMSBは、ビットマップ・インデックスを示す。下り電文データのために、ビットマップ・インデックスの0は、Bitmap-FRを示し、ビットマップ・インデックスの1は、Bitmap-NRを示す。同様に上り電文データのために、ビットマップ・インデックスの0は、Bitmap-FCを示し、1はBitmap-NCを示す。8ビット・サブチャネル・インデックスは、最低周波数サブキャリアが０であるように、低周波数から高周波数が規定されている。サブキャリア・インデックスの0は、使われない。
＊    FEXTC/Rシンボルと、NEXTC/Rシンボル間のビット交換は、許可されていない。
【表８】
2005534256.tif 000021
【０１０２】
ビット交換リクエストメッセージ（すなわちヘッダおよびメッセージ・フィールド）は、連続して5回送信される。数ビット交換の後、ＡＴＵ−ＣおよびＡＴＵ−Ｒの間のgi相違を回避するために、ΔdBのgi更新値用に、新規のgi値は、方程式8によって与えられなければならない：
【数８】
2005534256.tif 000022
【０１０３】
（C.7.10.1    R-MSG-RA（10.9.2を補充する））
勧告の表10-15を下記の表9に変更する。
【表９】
2005534256.tif 000023
【０１０４】
本発明の他の実施例では、G.992.1アネックスAのオーバーラップ・スペクトラム（AOL）を有するシステムオペレーティングに関するスペクトル互換性およびパフォーマンスは、日本のアクセス・ネットワークに記載されている。アネックスAの非オーバーラップ・ケースと比較した時、オーバーラップ・スペクトルの利点は、下り電文のパフォーマンスが増加することである。ＴＴＣ対応するシミュレータを使用したスペクトル互換性シュミレーションは、、G.992.1アネックスAにおいて定められる全面オーバーラップ使用のA.Xを実行するシステムが、最高1.5kmまで通信可能であり、同じ通信圏内において使用される第一群システムとのスペクトル互換性を維持することを示している。スペクトル的に形成されたオーバーラップ・マスクを使用して展開されるシステムは、最高2.0kmまで通信可能であり、同じ通信圏内で展開される時には第一群システムとスペクトル互換性を維持することが出来る。形成されたオーバーラップ・アネックスAマスクは、C.X用のXOLおよびXDDシステムに使われているマスクと同一である。同じ通信圏内において展開されると、この同じ形成されたオーバーラップ・マスクは4.5kmまでのアネックスＣ DBＭとスペクトル的に互換性がある。アネックスAのオーバーラップ・マスクと形成されたオーバーラップ・マスクのファミリーは、A.Xと呼ばれる。
【０１０５】
全面オーバーラップ・スペクトル（AOL）は、特に上り電文のバンド幅がより高いビット負荷を収納できる小範囲で、非常にレートを増加させるG.992.1モードを使用する。AOLシステムは、このように、日本での高速アネックスAを提供する為に用いることが可能である（例えば12メガビット/sのレートでの通信サービス）。以下はスペクトルに関する互換性シュミレーションであり、このシュミレーションは、1.5km.までの同じ通信圏内において用いられると、このAOLシステムは、日本のネットワーク内の第一群システムとスペクトル的に互換性があることを示している。この第一群システムは、アネックスA（非オーバーラップ・マスク）、アネックスＣ DBＭ、アネックスC  FBMおよびＴＣＭ−ＩＳＤＮのことである。スペクトル的な追加の形成を行なうことにより、アネックスＣ ＦＢＭのスペクトル互換性を、第一群システムを有する同じ通信圏内で最高2kmまで通信可能なように改善することが出来る。アネックスAのオーバーラップのファミリーおよび形成されたオーバーラップ・マスクは、A.Xと呼ばれる。シェーピング(形成)は、同じ通信圏内の24の通信干渉に基づいたTTCオリジナル評価尺度内、または単独の通信圏内の通信干渉に基づく分野尺度基準内で、最適化される。
【０１０６】
現行AOL下り電文用のスペクトル・マスクは、G.992.1、アネックスA、セクションA1.2に規定されており、また図３および方程式９に記載されている。ＡＤＳＬオーバーラップ・マスクは、通常の下り電文のバンド幅をＰＯＴＳバンド（25.875kHz）まで下方へ広げている。特に明記しない限り、上述の図4および下記の方程式9において定義するように、スペクトル管理クラスと関連するＰＳＤマスクは、好ましくはＰＳＤテンプレートにさらにプラス3.5dBに等しいことに注意を要する。方程式8は、DBMOL下り電文に使用するマスクと一致するITU ＡＤＳＬ_OL PSDテンプレートの例示的なフォームを提供している。表10は、DBMOL下り電文スペクトル・マスクの例示的な減衰およびレベルを提供する。
【数９】
2005534256.tif 000024
【表１０】
2005534256.tif 000025
【０１０７】
アネックスA形成オーバーラップ（AsOL）マスクは下記の方程式１０で定義されている。これは好ましくは、XOLおよびXDDシステムのために定めた形成されたオーバーラップ・マスクと同じである点に注意を要する。
【数１０】
2005534256.tif 000026
【０１０８】
A.Xスペクトル互換性結果：
スペクトル互換性のシナリオ1：24通信圏内の通信干渉（A.X24）：
スペクトル互換性のシュミレーションは、ＴＴＣ明細書（ＴＴＣ標準規格JJ10001）およびSEI投稿T465-9-13に従ってされた。表11（図5）および表12（図6）は、24通信圏内の通信干渉が仮定されるときの、第一群システムへのA.Xシステムのスペクトル互換性を例示したものである。1.5kmまでのループ距離のためには、AOLマスクが好ましくは用いられる点に留意する必要があり；1.5kmより長い距離のためには、AsOLマスクが好ましくは用いられる点に留意する必要がある。表11および12の数値は、さまざまな0.4mmのペーパー日本ループのために、kbpsで表されたビットレートである。表11および12は、それぞれ、G992.1（full rate）およびG992.2（lite）モードで作動している第一群システムとのA.Xのスペクトル互換性を示す。ＴＣＭ−ＩＳＤＮ値は、両方のモードで同一である。陰影をつけられたカラムは、SEI投稿T465-9-13（表2）で提示されている基準値である。白いカラムが、A.X24のスペクトル互換性に関連する。軽い陰影をつけられた数値は、スペクトル互換性を確実にするのを失敗したことを強調している。
【０１０９】
表11および12（図５及び６）は、AOLの結果が1.5kmまでの同じ通信圏内において配置された時に、第1群システムとスペクトル的に互換性があることを表している。AsOLは、2.0kmまでの同じ通信圏内において配置された時に第1群システムとスペクトル的に互換性がある。計算されたビット率がパフォーマンス基準値と同等またはそれ以上の値の個所で、スペクトル互換性が存在する。
【表１１】
2005534256.tif 000027
【表１２】
2005534256.tif 000028
【０１１０】
スペクトル互換性シナリオ2：1通信圏内の通信干渉（A.X1）：
表13（図7）は、通信圏内の通信干渉が仮定されるときの（A.X1）、第一群システムへのA.Xシステムのスペクトル互換性を例示したものである。1.5kmまでのループ距離のためには、AOLマスクが用いられる点に留意する必要があり；1.5kmより長い距離のためには、AsOLマスクが用いられる点に留意する必要がある。表13の数値は、0.4mmのペーパー日本ループのために、kbpsで表されたビットレートである。表13は、G992.1（full rate）モードで作動している第一群システムとの、A.Xのスペクトル互換性を示す。濃く陰影をつけられたカラムは、SEI投稿T465-9-13の表2で提示されている基準値である。白いカラムが、A.X１のスペクトル互換性に関連する。軽い陰影をつけられた数値は、スペクトル互換性を確実にするのを失敗したことを強調している。テーブル13の結果は、AsOLが4.25kmまでの同じ通信圏内において配置された時に第1群システムとスペクトル的に互換性があることを表している。
【表１３】
2005534256.tif 000029
【０１１１】
形成されたスペクトル・オーバーラップ（AsOL）を用いたアネックスAの通信可能距離は、ＴＣＭ−ＩＳＤＮにより制限されており、最高距離で略3.5kmに制限される。3.5kmまでは、AsOLは、全ての第一群システムの下り電文チャネルとスペクトル的に互換性を有する。AsOLからの24通信圏内の通信干渉がある場合にも、アネックスＣ ＦＢＭは、パフォーマンス基準値と関連してビット率の非常に小さい劣化を有するのみである。3.25km離れたところの上り電文チャネルのアネックスＣ ＦＢＭでのサービス品質は、192キロビット／秒（kb/s）であり、この品質レベルは、サービスの絶対値を考慮すると、比較的満足できる品質である。上り電文チャネルのビット率に対する下り電文のチャネルビット率の比率を考慮する場合（下記の表14を参照）、計算されたアネックスＣ ＦＢＭ値のための比率は、CDBMおよびアネックスAのパフォーマンス基準値のそれらと同等であると見られる。アネックスＣ ＦＢＭモードのパフォーマンス基準値から若干の偏差があったとしても、AsOLシステムの配備は、3.5kmがパフォーマンス限界値であると考えても良い。
【表１４】
2005534256.tif 000030
【０１１２】
実験的なセットアップは、以下の条件である。ビット手順の配分は、割当ビットの数を14に制限し、2ビット以下の負荷は考慮しない。チャネルコード体系によって得られた符号化利得は、5dBである。
反響障害は考慮しない。
【０１１３】
A.X24、AOL &Annex A（24通信圏内の通信干渉のシナリオ）：
表15は、-140dBm/Hzのバックグラウンド・ノイズがある場合の、アネックスA、AOLおよびA.X24のパフォーマンスを示す。A.X24とは、1.5kmまでループ距離にはマスクAOLを、そして1.5kmより長い距離にはマスクAxOLを使うことを示す点に留意する必要がある。
【０１１４】
表16は、最悪のケースの24通信干渉第一群システムがある場合の、アネックスA、AOLおよびA.X24のパフォーマンスを示す。A.X24は、1.5kmまでのループ距離にはマスクAOLの使用を、そして1.5kmより長い距離にはマスクAxOLの使用を、意味することを示す点に留意する必要がある。
【表１５】
2005534256.tif 000031
【表１６】
2005534256.tif 000032
【０１１５】
A.X1及びアネックスA（1通信圏内の通信干渉のシナリオ）：
表17は、-140dBm/Hzのバックグラウンド・ノイズがある場合の、アネックスA、AOLのパフォーマンスを示す。表18は、最悪のケースの24通信干渉第一群システムがある場合の、アネックスA、AOLのパフォーマンスを示す。A.X1は、AOLと同一である点に留意する必要がある。
【表１７】
2005534256.tif 000033
【表１８】
2005534256.tif 000034
【０１１６】
ＴＴＣ対応するシュミレータを使用したスペクトル互換性シュミレーションは、G.992.1アネックスAにおいて定められる全面オーバーラップ使用のA.Xを実行するシステムが、最高1.5kmまで通信可能であり、同じ通信圏内において使用される第一群システムとのスペクトル互換性を維持することを示している。スペクトル的に形成されたオーバーラップ・マスクを使用して展開されるシステムは、最高2.0kmまで通信可能であり、同じ通信圏内で展開される時には第一群システムとスペクトル互換性を維持することが出来る。形成されたオーバーラップ・アネックスAマスクは、C.X用のXOLおよびXDDシステムに使われているマスクと同一である。同じ通信圏内において展開されると、この同じ形成されたオーバーラップ・マスクは4.5kmまでのアネックスＣ DBＭとスペクトル的に互換性がある。アネックスAのオーバーラップ・マスクと形成されたオーバーラップ・マスクのファミリーは、A.Xと呼ばれる。
【０１１７】
G.992.1およびアネックス記載のＡＤＳＬ下り電文スペクトルと送信レートための方法およびシステムの拡張型：
下記の方法およびシステムは、下り電文のスペクトルの仕様充足性および互換性を高める拡張型の性能と、G.992.1とＤＳＬのようなアネックスに規定するアプリケーションでの拡張型のデータ送信率とを提供することに関連する。具体的には、この方法およびシステムは、ＴＣＭ−ＩＳＤＮと同じケーブル束で稼動する2.208MHzのバンドのADSL拡張スペクトルを提供する。本発明の少なくとも一つの実施形態により、G992.1アネックスＣが下り電文で512個のサブキャリアをサポートする構成を提供することが可能となる。
【０１１８】
G.dmtアネックスＣ標準規格は、現在では1.104MHzの下り電文バンド幅をサポートしている。本発明は、下り電文のサブチャンネル装置の数としてN=512と定義することによって、2.208MHzまでバンド幅を拡張する構成を提供する。G.992.1アネックスＣの現在の状態を考慮するにあたり、下記のように、下り電文のサブチャンネルの絶対数の全てのレファレンスは、NSCの関数で最適に置き換え可能である。例えば、アネックスＣの全てのレファレンスを、下記のようにNSCの関数による下り電文サブチャンネルの絶対値に置き替えることが出来る：
【０１１９】
（データサブキャリア（G.992.1の中で、7.11.1.1を変更する））
10.6.6において定められるチャネル分析信号は、使用されるNSC-1キャリアを最大とすることが出来る。（nΔf, n = 1からNSC-1までの周波数で）。
【０１２０】
（ナイキスト周波数（7.11.1.3を変更する））
ナイキスト周波数（#NSC）でのキャリアは、好ましくは、ユーザーデータのためには使用されず、実数化され；他の可能な用途は、更なる研究による。
【０１２１】
離散的逆フーリエ変換（7.11.2を変更する）による変調
変調変換は、2*NSC実数の値xnの関係とZiの関係を定義する。
【数１１】
2005534256.tif 000035
【０１２２】
コンステレーション・エンコーダおよび利得スケーリングは、複素数値Zi.のNSC-1だけを生成する。実数xnの値を生成するためには、入力値（ナイキストが使用されたら、NSC-1複素数値プラスDCでゼロと1つの実数）は、ベクトルZがHermitianシンメトリを有するように増加される。すなわち；
【数１２】
2005534256.tif 000036
【０１２３】
（同期シンボル ( 7.11.3を変更する)）
同期シンボルは、再準備を強制するかもしれないマイクロ中断の後にフレーム境界を回復するのを許可する。データシンボル率、ｖfsymb &#61;
4 kHz、キャリア分離、Δf &#61;
4.3125 kHz、およびIDFT サイズ, N&#61;
2*NSC、は、5/64*NSCサンプルの周期的プリフィクスを使用できる。すなわち以下のように定義できる。
【数１３】
2005534256.tif 000037
【０１２４】
周期的プリフィクスは、しかしながら、1/8*NSCサンプルに短縮することが出来る。そして、同期シンボル(（2+1/8）x NSCサンプルの名目長と共に)が68個のデータシンボルごとに挿入される。すなわち、以下のように定義できる。
【数１４】
2005534256.tif 000038
【０１２５】
同期シンボル中で使用するデータパターンは、以下の方程式で定義される擬似乱数PRDであってもよい（dn, for n &#61;
1 to 2*NSC）。
【数１５】
2005534256.tif 000039
【０１２６】
ビット（d1およびd2）の第１対は、ＤＣおよびナイキストサブキャリア（それらに割振られた電源は、もちろんゼロであるので、そのビットは効果的に無視される）のために使うことができる。それからG.992.1のテーブル7-13で定義したように、次の対の第１および第２のビットは、それからG．992.1のテーブル7-13に示すようにi=1からNSC-1に対してXi、Yiを定義するために用いられる。
【０１２７】
PRDの期間は511ビットだけであるので、d512がd1と等価である。このd1-d9は、各々の同期シンボルのために再初期化されるので、各々のシンボルは同一データを使用する。パイロットキャリアを変調する2ビットが｛0,0｝で上書きされ、これにより｛＋,＋｝コンステレーションを生成する。
【０１２８】
使用されるサブキャリアの最小限の一組は、データ送信のために使用する一組である（すなわちbi＞０）bi ＝0が削減されたＰＳＤで使われ、送信PSDのパラグラフのアネックスA、BおよびCで定義されている。各サブキャリア上への変調データは上記のように定義され、それはどのサブキャリアが使われるかには依存しない。
【０１２９】
（周期的なプリフィクス（7.12を変更する））
IDFT（Xnで、n＝2*NSC-1/8*NSCから2*NSC-1まで）の出力の最後の1/8*NSCサンプルは、2*NSCサンプルにプリペンドされ、順番にdigital-to-analogueコンバータ（D/A変換器）に読出される。たとえば、NSC=256のとき、D/A変換器サンプルの下付き添字（n）は、順番に480...511, 0 ...511である。
【０１３０】
10.6.2において定義したように、周期的プリフィクスは、初期化シーケンスのC-RATES1セグメントで始まる全てのシンボル用に使用される。
【０１３１】
（C-REVERB1（10.4.5を変更する））
C-REVERB1は、ＡＴＵ−ＣおよびＡＴＵ−Ｒレシーバの自動利得制御（ＡＧＣ）を適正レベルに合わせることができる信号である。C-REVERB1で使用するデータパターンは、疑似ランダム下り電文のシーケンス（PRD）であり、7.11.3で定義されており、便宜上ここで繰り返す。
【０１３２】
2005534256.tif 000040
【０１３３】
ビットの第一対（d1およびd2）は、ＤＣおよびナイキスト・サブキャリア（それらに割振られるパワーは、もちろん、ゼロであり、それらのビットは効果的に無視される）のために使われる。それから、次の対の第１および第２のビットは、G.992.1勧告の表7-13において定義したように、Xi とYiで、i =1からNSC-1である。PRDの期間は511ビットだけであり、d512はd1に等しくセットされる。ビットd1からビットd9は各々のシンボルのために再初期化されるるので、C-REVERB1の各々のシンボルは同一である。
【０１３４】
パイロットを変更する2つのビットキャリアは｛0,0｝に上書きされ、｛＋、＋｝コンステレーションを生成する。
【０１３５】
C-REVERB1の継続期間は、周期的プリフィクスの無い512（反復）シンボルである。
【０１３６】
注：なおNSC=512のとき、PRDは、PRDの2つの期間である1024ビットを通常は生成する。PRDの第一期間だけがn=1から9のそれに初期化されるので、第二期間はPRDの第一期間と比べて完全にランダムであり、従って9ビットPRD発生器は、NSC=512の信号を生成するには充分である。
【０１３７】
2005534256.tif 000041
【０１３８】
R-B&G情報は、（2*NSC-2）*16=16352-ビット（2*NSC-2）*2=2044バイト）のメッセージｍで、マップ化され、このmの定義は以下のように定義される：
【数１６】
2005534256.tif 000042
【０１３９】
また同時に、最初に送信されるより高いmインデックス指標およびm0中のbiおよびgiのMSBとマップ化される。メッセージmは、10.9.8にて説明した送信方法を用いて、（2*NSC-2）*2=2044シンボルで送信される。ビットマップ-ＮＲが使用不能なら（ＦＥＸＴビットマップモード）、ビットマップ-ＮＲのbiおよびgiはゼロにセットされる。
【０１４０】
これに対する1つの形態は、AOCオンライン・アダプテーションおよび再構成である。ビット交換リクエスト（11.2.3を変更する）は次のように行なわれる。つまり受信機がAOCチャネルを経由して送信機にビット交換リクエストを送って、ビット交換を始めることができる。このリクエストは、どのサブキャリアが変更されるかについて送信機に知らせる。リクエストのフォーマットは、下記の表19に示されている。
【表１９】
2005534256.tif 000043
【０１４１】
このリクエストは、以下の9つのバイトを含む：
＊ 8つのバイナリヘッダで構成するAOCメッセージヘッダ（Message header）；
＊ メッセージ・フィールド１−４（Message field 1-4）の各メッセージは、１ビット・ビットマップ・インデックスと、関連する8ビット・サブチャネル・インデックスが続く7ビット・コマンドから成る。１ビット・ビットマップ・インデックスの第2ビットは、サブチャネル・インデックスに対する拡張子であり、ビット交換メッセージのための有効な6ビット・コマンドが表24に示されている。
表24において、ビット交換リクエスト・コマンドのためのMSBは、ビットマップ・インデックスを示す。下り電文データのために、ビットマップ・インデックスの0は、Bitmap-FRを示し、ビットマップ・インデックスの1は、Bitmap-NRを示す。同様に上り電文データのために、ビットマップ・インデックスの0は、Bitmap-FCを示し、1はBitmap-NCを示す。8ビット・サブチャネル・インデックスは、最低周波数サブキャリアが０であるように、低周波数から高周波数が規定されている。サブキャリア・インデックスの0は、使われない。
＊    FEXTC/Rシンボルと、NEXTC/Rシンボル間のビット交換は、許可されていない。
【表２０】
2005534256.tif 000044
【０１４２】
ビット交換リクエストメッセージ（すなわちヘッダおよびメッセージ・フィールド）は、連続して5回送信される。数ビット交換の後、ＡＴＵ−ＣおよびＡＴＵ−Ｒの間のgi相違を回避するために、&#68;
dBのgi更新値用に、新規のgi値は、方程式17によって与えられなければならない：
【数１７】
2005534256.tif 000045
【０１４３】
R-MSG-RA交換状態を変更することで、データを搬送の最高511のトーンをサポートし、二重待ち時間をサポートする最大率を24480kbpsまで増加できる。
【０１４４】
（R-MSG-RA（10.9.2を補充する））
勧告の表10-15を下記の表21に変更する。
【表２１】
2005534256.tif 000046
【０１４５】
上述の本発明に係る実施例では、G.992.1アネックスCへの必要な変更を提示し、これによりADSLの拡大スペクトルは2.208MHz帯をカバーし、ＴＣＭ−ＩＳＤＮと同じケーブル束で作動する。
【０１４６】
2.208MHz用のG992.1のアネックスCに対するこの提案された変更に基づき、ＴＣＭ−ＩＳＤＮと同じケーブル束で作動するADSL用拡大スペクトルにより、下り上り電文間でのオーバーラップ動作モードを可能とする。本発明の本態様により、非オーバーラップ・モードと比較して、オーバーラップ・動作モードを使用するときに、下り電文率が向上するパフォーマンス・ゲインが得られる。オーバーラップ・動作モードは、ＴＣＭ−ＩＳＤＮと同じ通信ケーブル束において作動する提案された2.208MHzのＡＤＳＬ拡張スペクトルの一部である。
【０１４７】
本発明のパフォーマンス・ゲインを得る為に、以下の構成パラメータを有するDBＭモードを使用した2.208MHzのバンド幅システム用に、シュミレーションが行なわれた。：
ＡＤＳＬ+ PSDマスク：
* 図に示す、ＣＯ配備のためのＡＤＳＬ+オーバーラップ・モード用ＰＳＤマスクの使用。
* トータル・パワー：21.25dBm
* マージン= 6dB
* ＳＮＲギャップ= 9.75dB
* 符号化利得= 5dB（格子を+Rs符号化とみなす）
* ホワイト・ノイズ電力=-140dBm/Hz
* 0.4mmの紙ケーブルループ
* ノイズ：24のＴＣＭ ＩＳＤＮノイズ+ 20自己ＮＥＸＴ + 20自己ＦＥＸＴ
* オーバーラップ・モードのためのスタート・ビン（Bin）−6
* オーバーラップ・モードのためのスタート・ビン（Bin）−32
* デュアルビットマップの演算方法：CＦＥＸＴ*126/340+CＮＥＸＴ*214/340
【０１４８】
図9は、ＴＣＭ−ＩＳＤＮと同じ通信ケーブル束で作動する2.208MHzバンドＡＤＳＬ用拡張スペクトルのパフォーマンスを示している。図9から分かるように、オーバーラップ・モードが、少なくとも1Mbps分だけ下り電文方向でシステム性能を改善する。
【０１４９】
ＡＤＳＬ +のためのＰＳＤマスク：
本発明の他の面では、512個のキャリアを使用したＡＤＳＬ+で使用するＰＳＤマスクを提供する。ある一つの実施例においては、ＰＯＴＳ経由、かつＩＳＤＮ経由で動作するＰＳＤマスクを使用する。加えて、ＣＯ配備のためのＰＳＤおよび遠隔端末装置配備のための別々ＰＳＤを、夫々使用する。この発明の実施形態は、512個のキャリアでの実施を前提とするＡＤＳＬ+で使用するＰＳＤマスク定義を想定している。加えて本発明では、ＣＯ配備および遠隔端末装置配備のための別々のＰＳＤマスク定義を使用する。
【０１５０】
ＰＯＴＳ経由のＡＤＳＬ+動作のためにマスクは、上り電文とオーバーラップする下り電文マスク、および非オーバーラップ・マスクで定義されている。さらに電話局配備と遠隔端末装置配備のために、オーバーラップと非オーバーラップ・マスクが夫々定められている。またさらにＰＯＴＳ経由のＡＤＳＬ+動作のための更なるマスクが定められている。
【０１５１】
ＩＳＤＮ経由のＡＤＳＬ+動作のためには、非オーバーラップ・マスクの方が好都合である。ＰＯＴＳ経由のＡＤＳＬと同様に、ＣＯからの配備用マスクと、キャビネットからの配備用の他のマスクがある。
【０１５２】
ＰＯＴＳ経由ＡＤＳＬ+用の ＰＳＤ：
ＰＯＴＳ経由のＡＤＳＬ+動作のためのＰＳＤマスクは、以下のように定められる。これらの場合、対応するテンプレートはマスクより3.5dBだけ低い点に注意する必要がある。マスクは、オーバーラップ・モード、非オーバーラップ（FDM）・モード、ＣＯ配備およびキャビネット配備のために定められている。
【０１５３】
ＣＯからの配備：
ＣＯから配備されるＡＤＳＬ+については、ＰＳＤマスクは、T1.424/Trial-用途から2.208MHzのバンド周波数の最大まで、ＣＯマスク2のそれに従う。表22は、T1.424/Trial-用途のＣＯマスク2から得られたＣＯ配備のオーバーラップＡＤＳＬ+ 用のPSDマスクのための、好ましい概略ブレークポイント表である。対応するマスクは、図10にプロットされている。この動作モードの最大電力は決定することができ、一義的または最適に決定することが出来る。一方、表23は、ＣＯ配備のための非オーバーラップＡＤＳＬ+用の PSDマスクのための、好ましい概略ブレークポイント表を示す。対応するマスクは、図11にプロットされている。この動作モードのための最大電力は決定することができ、一義的または最適に決定することが出来る。
【表２２】
2005534256.tif 000047
【表２３】
2005534256.tif 000048
【０１５４】
（キャビネットからの配備）
キャビネットから配備されるＡＤＳＬ+については、ＰＳＤマスクは、T1.424/Trial-用途から2.208MHzのバンド周波数の最大まで、ＣＯマスク2のそれに従う。
【０１５５】
表24は、キャビネットから配備されるオーバーラップＡＤＳＬ+用のＰＳＤマスクのための、好ましい概略ブレークポイント表である。対応するマスクは、図12にプロットされている。この動作モードの最大電力は決定することができ、一義的または最適に決定することが出来る。
【０１５６】
表25は、キャビネットから配備される非オーバーラップＡＤＳＬ+用のＰＳＤマスクのための、好ましい概略ブレークポイント表である。対応するマスクは、図13にプロットされている。この動作モードの最大電力は決定することができ、一義的または最適に決定することが出来る。
【表２４】
2005534256.tif 000049
【表２５】
2005534256.tif 000050
【０１５７】
ＩＳＤＮ経由のＡＤＳＬ+：
ＣＯからの配備：
表26は、電話局配備されるISDN経由オーバーラップＡＤＳＬ+用のＰＳＤマスクのための、好ましい概略ブレークポイント表である。対応するマスクは、図14にプロットされている。この動作モードの最大電力は決定することができ、一義的または最適に決定することが出来る。
【表２６】
2005534256.tif 000051
【０１５８】
（キャビネットからの配備）
表27は、キャビネット配備の動作のための、ISDN経由非オーバーラップＡＤＳＬ+用のＰＳＤマスクのための、好ましい概略ブレークポイント表である。対応するマスクは、図14にプロットされている。この動作モードの最大電力は決定することができ、一義的または最適に決定することが出来る。
【表２７】
2005534256.tif 000052
【０１５９】
本発明のこの実施形態によれば、異なる配備シナリオのためのＡＤＳＬ+用の以下に述べる各ＰＳＤマスクが使用される：
*  ＣＯから配備される上り電文と下り電文をオーバーラップするオーバーラップ型ＰＯＴＳ経由のＡＤＳＬ
*  ＣＯから配備される上り電文と下り電文をオーバーラップしない非オーバーラップ型ＰＯＴＳ経由のＡＤＳＬ
*  キャビネットから配備される上り電文と下り電文をオーバーラップするオーバーラップ型ＰＯＴＳ経由のＡＤＳＬ
*  キャビネットから配備される上り電文と下り電文をオーバーラップしない非オーバーラップ型ＰＯＴＳ経由のＡＤＳＬ
*  ＣＯから配備される上り電文と下り電文をオーバーラップしない非オーバーラップ型ＩＳＤＮ経由のＡＤＳＬ
*  キャビネットから配備される上り電文と下り電文をオーバーラップしない非オーバーラップ型ＩＳＤＮ経由のＡＤＳＬ
【０１６０】
要約すると以下のようになる：
本発明の一実施例によると、従来の電話システム（ＰＯＴＳ）経由の非同期デジタル加入者回線（ＡＤＳＬ）オーバーラップ型スペクトル送信のスペクトル形成のためのパワー・スペクトル密度（ＰＳＤ）マスクが提供される。このPDSマスクは、少なくとも部分的には複数のブレークポイントを有している。この複数のブレークポイントは以下のような構成である：
略0kHzで略-97.5のデシベル-ミリワット／１周波数（dBm/Hz）、
略4kHzで略-97.5dBm/Hz、
略4kHzで略-92.5dBm/Hz、
略25kHzで略-36.5dBm/Hz、
略1104kHzで略-36.5dBm/Hz、
略2208kHzで略-46.5dBm/Hz、
略3925kHzで略-101.5dBm/Hz、
略8500kHzで略-101.5dBm/Hz、
略8500kHzで略-103.5dBm/Hz、そして
略11040kHzで略-103.5dBm/Hz
【０１６１】
本発明の別の実施例によると、従来の電話システム（ＰＯＴＳ）経由の非同期デジタル加入者回線（ＡＤＳＬ）非オーバーラップ型スペクトル送信のスペクトル形成のためのパワー・スペクトル密度（ＰＳＤ）マスクが提供される。このPDSマスクは、少なくとも部分的には複数のブレークポイントを有している。この複数のブレークポイントは以下のような構成である：
略0kHzで略-97.5のデシベル-ミリワット／１周波数（dBm/Hz）、
略4kHzで略-97.5dBm/Hz、
略80kHzで略-72.5dBm/Hz、
略138kHzで略-36.5dBm/Hz、
略1104kHzで略-36.5dBm/Hz、
略2208kHzで略-46.5dBm/Hz、
略3925kHzで略-101.5dBm/Hz、
略8500kHzで略-101.5dBm/Hz、
略8500kHzで略-103.5dBm/Hz、そして、
略11040kHzで略-103.5dBm/Hz。
【０１６２】
本発明の更に別の実施例によると、従来の電話システム（ＰＯＴＳ）経由の非同期デジタル加入者回線（ＡＤＳＬ）オーバーラップ型スペクトル送信のスペクトル形成のためのパワー・スペクトル密度（ＰＳＤ）マスクが提供される。このPDSマスクは、少なくとも部分的には複数のブレークポイントを有している。この複数のブレークポイントは以下のような構成である：
略0kHzで略-97.5のデシベル-ミリワット／１周波数（dBm/Hz）、
略4kHzで略-97.5dBm/Hz、
略4kHzで略-92.5dBm/Hz、
略25kHzで略-56.5dBm/Hz、
略1104kHzで略-56.5dBm/Hz、
略2208kHzで略-46.5dBm/Hz、
略3925kHzで略-101.5dBm/Hz、
略8500kHzで略-101.5dBm/Hz、
略8500kHzで略-103.5dBm/Hz、そして、
略11040kHzで略-103.5dBm/Hz。
【０１６３】
本発明の更に別の実施例によると、従来の電話システム（ＰＯＴＳ）経由の非同期デジタル加入者回線（ＡＤＳＬ）非オーバーラップ型スペクトル送信のスペクトル形成のためのパワー・スペクトル密度（ＰＳＤ）マスクが提供される。このPDSマスクは、少なくとも部分的には複数のブレークポイントを有している。この複数のブレークポイントは以下のような構成である：
略0kHzで略-97.5のデシベル-ミリワット／１周波数（dBm/Hz）、
略4kHzで略-97.5dBm/Hz、
略80kHzで略-92.5dBm/Hz、
略138kHzで略-56.5dBm/Hz、
略1104kHzで略-56.5dBm/Hz、
略2208kHzで略-46.5dBm/Hz、
略3925kHzで略-101.5dBm/Hz、
略8500kHzで略-101.5dBm/Hz、
略8500kHzで略-103.5dBm/Hz、そして、
略11040kHzで略-103.5dBm/Hz。
【０１６４】
本発明の更に別の実施例によると、デジタル総合サービス網（ＩＳＤＮ）経由の非同期デジタル加入者回線（ＡＤＳＬ）オーバーラップ型スペクトル送信のスペクトル形成のためのパワー・スペクトル密度（ＰＳＤ）マスクが提供される。このPDSマスクは、少なくとも部分的には複数のブレークポイントを有している。この複数のブレークポイントは以下のような構成である：
略0kHzで略-90のデシベル-ミリワット／１周波数（dBm/Hz）、
略93.1kHzで略-90dBm/Hz、
略209kHzで略-62dBm/Hz、
略255kHzで略-36.5dBm/Hz、
略1104kHzで略-36.5dBm/Hz、
略2208kHzで略-46.5dBm/Hz、
略3925kHzで略-101.5dBm/Hz、
略8500kHzで略-101.5dBm/Hz、
略8500kHzで略-103.5dBm/Hz、そして、
略11040kHzで略-103.5dBm/Hz。
【０１６５】
本発明の更に別の実施例によると、デジタル総合サービス網（ＩＳＤＮ）経由の非同期デジタル加入者回線（ＡＤＳＬ）オーバーラップ型スペクトル送信のスペクトル形成のためのパワー・スペクトル密度（ＰＳＤ）マスクが提供される。このPDSマスクは、少なくとも部分的には複数のブレークポイントを有している。この複数のブレークポイントは以下のような構成である：
略0kHzで略-90のデシベル-ミリワット／１周波数（dBm/Hz）、  
略93.1kHzで略-90dBm/Hz、
略209kHzで略-62dBm/Hz、
略255kHzで略-56.5dBm/Hz、
略1104kHzで略-56.5dBm/Hz、
略2208kHzで略-46.5dBm/Hz、
略3925kHzで略-101.5dBm/Hz、
略8500kHzで略-101.5dBm/Hz、
略8500kHzで略-103.5dBm/Hz、そして、
略11040kHzで略-103.5dBm/Hz。
【０１６６】
本発明の一実施例によると、従来の電話システム（ＰＯＴＳ）経由の非同期デジタル加入者回線（ＡＤＳＬ）オーバーラップ型スペクトル送信のスペクトル形成のためのパワー・スペクトル密度（ＰＳＤ）マスクが提供される。このPDSマスクは、少なくとも部分的には複数のブレークポイントを有している。この複数のブレークポイントは以下のような構成である：
0±5%kHzで--97.5±５％のデシベル-ミリワット／１周波数（dBm/Hz）、
4±5%kHzで-97.5±5%dBm/Hz、
4±5%kHzで-92.5±5%dBm/Hz、
25±5%kHzで-36.5±5%dBm/Hz、
1104±5%kHzで-36.5±5%dBm/Hz、
2208±5%kHzで-46.5±5%dBm/Hz、
3925±5%kHzで-101.5±5%dBm/Hz、
8500±5%kHzで-101.5±5%dBm/Hz、
8500±5%kHzで-103.5±5%dBm/Hz、そして、
11040±5%kHzで-103.5±5%dBm/Hz。
【０１６７】
本発明の別の実施例によると、従来の電話システム（ＰＯＴＳ）経由の非同期デジタル加入者回線（ＡＤＳＬ）非オーバーラップ型スペクトル送信のスペクトル形成のためのパワー・スペクトル密度（ＰＳＤ）マスクが提供される。このPDSマスクは、少なくとも部分的には複数のブレークポイントを有している。この複数のブレークポイントは以下のような構成である：
0±5%kHzで--97.5±５％のデシベル-ミリワット／１周波数（dBm/Hz）、
4±5%kHzで-97.5±5%dBm/Hz、
80±5%kHzで-72.5±5%dBm/Hz、
138±5%kHzで-36.5±5%dBm/Hz、
1104±5%kHzで-36.5±5%dBm/Hz、
2208±5%kHzで-46.5±5%dBm/Hz、
3925±5%kHzで-101.5±5%dBm/Hz、
8500±5%kHzで-101.5±5%dBm/Hz、
8500±5%kHzで-103.5±5%dBm/Hz、そして、
11040±5%kHzで-103.5±5%dBm/Hz。
【０１６８】
本発明の更に別の実施例によると、従来の電話システム（ＰＯＴＳ）経由の非同期デジタル加入者回線（ＡＤＳＬ）オーバーラップ型スペクトル送信のスペクトル形成のためのパワー・スペクトル密度（ＰＳＤ）マスクが提供される。このPDSマスクは、少なくとも部分的には複数のブレークポイントを有している。この複数のブレークポイントは以下のような構成である：
0±5%kHzで--97.5±５％のデシベル-ミリワット／１周波数（dBm/Hz）、
4±5%kHzで-97.5±5%dBm/Hz、
4±5%kHzで-92.5±5%dBm/Hz、
25±5%kHzで-56.5±5%dBm/Hz、
1104±5%kHzで-56.5±5%dBm/Hz、
2208±5%kHzで-46.5±5%dBm/Hz、
3925±5%kHzで-101.5±5%dBm/Hz、
8500±5%kHzで-101.5±5%dBm/Hz、
8500±5%kHzで-103.5±5%dBm/Hz、そして、
11040±5%kHzで-103.5±5%dBm/Hz。
【０１６９】
本発明の更に別の実施例によると、従来の電話システム（ＰＯＴＳ）経由の非同期デジタル加入者回線（ＡＤＳＬ）非オーバーラップ型スペクトル送信のスペクトル形成のためのパワー・スペクトル密度（ＰＳＤ）マスクが提供される。このPDSマスクは、少なくとも部分的には複数のブレークポイントを有している。この複数のブレークポイントは以下のような構成である：
0±5%kHzで--97.5±５％のデシベル-ミリワット／１周波数（dBm/Hz）、
4±5%kHzで-97.5±5%dBm/Hz、
80±5%kHzで-92.5±5%dBm/Hz、
138±5%kHzで-56.5±5%dBm/Hz、
1104±5%kHzで-56.5±5%dBm/Hz、
2208±5%kHzで-46.5±5%dBm/Hz、
3925±5%kHzで-101.5±5%dBm/Hz、
8500±5%kHzで-101.5±5%dBm/Hz、
8500±5%kHzで-103.5±5%dBm/Hz、そして、
11040±5%kHzで-103.5±5%dBm/Hz。
【０１７０】
本発明の更に別の実施例によると、デジタル総合サービス網（ＩＳＤＮ）経由の非同期デジタル加入者回線（ＡＤＳＬ）オーバーラップ型スペクトル送信のスペクトル形成のためのパワー・スペクトル密度（ＰＳＤ）マスクが提供される。このPDSマスクは、少なくとも部分的には複数のブレークポイントを有している。この複数のブレークポイントは以下のような構成である：
0±5%kHzで--90.5±５％のデシベル-ミリワット／１周波数（dBm/Hz）、
93.1±5%kHzで-90.5±5%dBm/Hz、
209±5%kHzで-62±5%dBm/Hz、
255±5%kHzで-36.5±5%dBm/Hz、
1104±5%kHzで-36.5±5%dBm/Hz、
2208±5%kHzで-46.5±5%dBm/Hz、
3925±5%kHzで-101.5±5%dBm/Hz、
8500±5%kHzで-101.5±5%dBm/Hz、
8500±5%kHzで-103.5±5%dBm/Hz、そして、
11040±5%kHzで-103.5±5%dBm/Hz。
【０１７１】
本発明の更に別の実施例によると、デジタル総合サービス網（ＩＳＤＮ）経由の非同期デジタル加入者回線（ＡＤＳＬ）オーバーラップ型スペクトル送信のスペクトル形成のためのパワー・スペクトル密度（ＰＳＤ）マスクが提供される。このPDSマスクは、少なくとも部分的には複数のブレークポイントを有している。この複数のブレークポイントは以下のような構成である：
0±5%kHzで--90.5±５％のデシベル-ミリワット／１周波数（dBm/Hz）、
93.1±5%kHzで-90.5±5%dBm/Hz、
209±5%kHzで-62±5%dBm/Hz、
255±5%kHzで-56.5±5%dBm/Hz、
1104±5%kHzで-56.5±5%dBm/Hz、
2208±5%kHzで-46.5±5%dBm/Hz、
3925±5%kHzで-101.5±5%dBm/Hz、
8500±5%kHzで-101.5±5%dBm/Hz、
8500±5%kHzで-103.5±5%dBm/Hz、そして、
11040±5%kHzで-103.5±5%dBm/Hz。
【０１７２】
適応シェーピングのための方法およびシステム：
更に通信システムの動作特性を強化するために、適応シェーピングの方法およびシステムが使用できる。この種のシステムは、G.992、G.994、その他の標準規格の領域を越えた、より広い適用性を有する。このシステムは、「スマートな」ＤＳＬまたはその他として案出されるシステムである。ある実施例ではシステムは、対応する距離に対して合致する、最適あるいは所望のシステム又はマスク用のテーブルやプロットを使用する。ある1つの基準では、キーファクター又はキーとなる考え方には、下り電文のデータレートを最大にすること、スペクトル的な一致性/互換性を維持すること、煩雑性および所要システムを最小化すること、などが含まれる。一つの実施例では、表28に示すように、短いループ長のシステムには、データレートを最大にするものが選ばれる。そして、長いループ長のシステムには、通信距離を最大にするものが選ばれる。この実施例が示すように、たとえばDBMOLシステムは、1.5km以下の比較的短いループ長距離のために用いられる。1.5kmと2km間の距離には、、DBMsOLシステムまたはマスクが使用される。2kmと3.5km間の距離には、1XOLシステムが使用され、5kmより長い距離では、ＦＢＭsOLシステムが使用できる。
【表２８】
2005534256.tif 000053
【０１７３】
ルックアップテーブルまたはプロットを、レファレンスやそのシステムとして使うことができる。例えば電話局ＣＯは、ＡＴＵ−Ｒ(端末)からＡＴＵ−Ｃ(電話局)まで使われているように、ループ長を決定するためにデータポイントmsg.raを使用でき、またルックアップ・テーブルに基づいて適切なシステムを選ぶために使用することが出来る。これは、競合する利益に重みを付加したり、ループ長等のシステム条件に基づく効果に差を付けることで、全体的なシステム性能を最適化するために用いられる。
【０１７４】
信号減衰に関する考察：
ハンドシェーク手順中の減少したシンボル率：
G.994.1のメッセージは、一又は複数個のキャリアセットによって送られる。キャリアセット内の全てのキャリア周波数は、Differentially-encoded Binary Phase Shift Keying (DPSK：差別的に符号化された二進移相変調)を使用した同じデータビットにより同時に変調される。G.994.1に記載されているハンドシェーク手順の信号のために使用するキャリア周波数上の信号品質は、特に長い通信ループ中でしばしばＴＣＭ−ＩＳＤＮノイズにより品質が低下する（（概して、5.5kmより長い場合）。G.994.1標準規格によれば、HTSU-Cのためのシンボル率および周波数の公差は、±50parts per million（ppm）であり、HSTU-Rのためのシンボル率および周波数の公差は、R-TONES-REQの間は±200ppmであり、全二重モードのR-TONE1又は半二重送信モードのR-FLAG1の間と後には±50である。たとえば、この種の漏話が発生し難い周波数を使用する4.3125kHzの信号系統（キャリアセット、A43、B43、C43）のキャリアセットでは、混乱は最小化されるにもかかわらず、ＴＣＭ−ＩＳＤＮ近端漏話（ＮＥＸＴ）ノイズは、信号品質を大幅に減弱させてしまう。たとえば、ひどいケースでは、8つの4.3125kHzサブ・シンボルのうち6つは、ＮＥＸＴノイズにより影響を受け、その信号の品質をかなり減弱させてしまう。
【０１７５】
したがって、本発明の少なくとも一つの実施形態は、シンボル率を削減することによって、G.994.1記載の初期接続手続きの間に発生するループ内のノイズ効果を減少させる方法を提供する。このシンボル率は、好ましくは半分に削減される。具体的には、キャリアセットA43およびC43では、1秒につき539.0625シンボル（4312.5/8）のシンボル率である。しかしながら、1秒につき269.53125シンボル（4312.5/16）にシンボル率を削減することによって、１つのシンボル当たり、少なくとも4つのサブ・シンボルは、ＮＥＸＴ継続時間外となり、従って遠端漏話（ＦＥＸＴ）ノイズにより影響を受けるだけである。しかしながら、概して4つのサブ・シンボル上で作動する位相変化検知器は、ＦＥＸＴ雑音環境でのノイズには強く、それによって、ＦＥＸＴノイズの効果は制限することが出来る。
【０１７６】
シンボル率を削減するプロセスは、さまざまな方法で実行することが可能である。ある実施例においては、例えば、選択した削減シンボル率を使用して変調搬送波（C-GALF1）上のGalfs（値8116の1オクテット、すなわち、HDLC flagの第１の補数）を送信することで、削減シンボル率（1秒につき269.53125のシンボル）を有するキャリアセットA43とC43を選択するHSTU-Cは、R-TONE1に応答するために用いられる。C-GALF1は、値8116のオクテットであり、送信される各々のオクテットの始めと終わりに、フェーズ移行となる。これらの移行を数えることによって、HSTU-Cが信頼性が高い方法で選択したシンボル率を決定するために、HSTU-Rは利用することが出来る。これはHSTU-Cがモードの制御を保つことを確実にし、特にHSTU-Cが現在の標準モードであれば、HSTU-Rは削減したシンボル率のモードに移行しないので、反対方向の互換性を確実にすることが出来る。従ってHSTU-Cは、それ以降のハンドシェーク手順の全体にわたって、この削減されたシンボル率を維持する。
【０１７７】
同様に、削減されたシンボル率モードでの動作ができる対応するHSTU-Rは、C-GALF1において検出された削減されたシンボル率を使用して被変調搬送波（R-FLAG1）上の例えば複数のFlagを送信することで、C-GALF1に応答するために用いられる。HSTU-Rは、概して次のハンドシェーク手順の全体にわたってこの削減されたシンボル率を維持する。HSTU-Rが削減されたシンボル率モードの動作ができない場合、HSTU-RはステートR-SILENT0へ切り替えることができる。
【０１７８】
所望の削減されたシンボル率モードができないHSTU-Rsとの反対方向の互換性を維持することは、望ましい。したがって、削減されたシンボル率モードができるHSTU-Cは、通常のシンボル率と削減シンボル率を切替えられるようにして、ハンドシェークが失敗した場合に反対方向の互換性を維持するために利用される。さらにまた、複合削減シンボル率がハンドシェーク過程で利用できれば,対応するHSTU-Rと互換性のあるシンボル率が判明するまで、ハンドシェープが失敗する度に、全ての利用可能なシンボル率を繰り返す為に利用することが出来る。少なくとも一つの実施形態においては、ハンドシェーキングの間の削減シンボル率のモードは、ＡＴＵ−Ｃによって送られた信号との事前の同期なしで実行可能である。
【０１７９】
上述の削減されたシンボル率ハンドシェークのプロセスは、ITU G.994.1標準規格への例えば以下記載の変更を使用して、キャリアセットA43およびC43のために実行することが出来る：
【０１８０】
G.994.1セクション6.1.1下のサブセクション6.1.1.1の挿入事項。
（6.1.1.1  シンボル率削減のオプション）
キャリアセットA43およびC43用に、4312.5/16 &#186;
269.53125個／秒のシンボル率を使用することが可能である。
【０１８１】
G.994.1セクション11.1.2下のサブセクション11.1.3の挿入事項
（11.1.3削減されたシンボル率でのデュプレックス・スタートアップ手続）
削減されたシンボル率（1秒につき269.53125個のシンボル）のキャリアセットA43とC43を選択するために選ばれるHSTU-Cは、削減されたシンボル率を使用して、被変調搬送波（C-GALF1）上のGalfsを送信することでR-TONE1に応答できる。C-GALF1は値8116のオクテットである、すなわち、各々のオクテット始めと終わりに、フェーズ移行が送信される。これらの移行を数えることによって、HSTU-Rは、HSTU-Cが信頼性が高い方法で選択したシンボル率を決定することが出来る。これはHSTU-Cがモードの制御を保つことを確実にし、特にHSTU-Cが現在の標準モードであれば、HSTU-Rは削減したシンボル率のモードに移行しないので、反対方向の互換性を確実にすることが出来る。従ってHSTU-Cは、それ以降のハンドシェーク手順の全体にわたって、この削減されたシンボル率を維持する。
【０１８２】
削減されたシンボル率モードでの動作ができるHSTU-Rは、C-GALF1において検出された削減されたシンボル率を使用して被変調搬送波（R-FLAG1）上の複数のFlagを送信することで、C-GALF1に応答することが出来る。HSTU-Rは、概して次のハンドシェーク手順の全体にわたってこの削減されたシンボル率を維持する。削減されたシンボル率モードの動作ができないHSTU-Rは、ステートR-SILENT0へ切り替えることができる。削減されたシンボル率モードができるHSTU-Cは、通常のシンボル率と削減シンボル率を切替えて、ハンドシェークが失敗した場合に反対方向の互換性を確実にすることが出来る。
【０１８３】
上述の削減されたシンボル率のハンドシェーク手順は、ＴＣＭ−ＩＳＤＮ状況が強い環境下でのハンドシェーキングの間に発生するレシーバの欠点を、しばしば解消させることが出来る。従って、レシーバの強制的シンボル率削減テクニックは、強いハンドシェークを完了するために応用することが出来る。この場合、ＦＥＸＴおよびＮＥＸＴ雑音レベルの違いが、たとえば、少なくとも3dBであるときに、HSTU-Rは、ＴＣＭ−ＩＳＤＮ雑音レベルをモニタすることによって、400Hzのローカル基準クロックを引き出すために利用することが出来る。図16は、32個平均のＴＣＭ−ＩＳＤＮ期間（80ms）を使用して得られた典型的な結果を例示する。
【０１８４】
その後、HTSU-Rは、より強いＮＥＸＴ位相を無視して、ハンドシェーク手順の全体に渡ってＦＥＸＴ-位相を保持することが出来る。静止ホワイト・ノイズ（たとえば、ＮＥＸＴおよびＦＥＸＴ雑音レベルの違いが3dB未満）の場合、上記の「ノイズゲーティング」は適用されず、HTSU-Rは1つのハンドシェークのシンボル中で、全て16個の4.3125kHzのサブ・シンボルを使用できる。この手順の効果は、ＦＥＸＴのサブ・シンボルだけが処理される場合と同様に、現行G.994.1標準規格により定義されるハンドシェークの性能を改善できる事である。
【０１８５】
図17は、キャリアセットC43をハンドシェークのシンボル短縮率を半分にした場合、典型的なHTSU-Rレシーバのシュミレーションされた性能を図示したものである。図示したシュミレーションにおいては、24ＴＣＭ−ＩＳＤＮディスターバを使用した場合のトーン１４（つまりキャリアセットC43中の第2下り電文トーン）上の信号−対−ノイズ（ＳＮＲ）は、ＮＥＸＴＲフェーズ間では略-16dBであり、7km.離れたところのＦＥＸＴＲ期間では30dBを超えていると仮定するすることが出来る。シュミレーションされたHSTU-Rレシーバは、図示するように、SNRＮＥＸＴ6dB、SNRＦＥＸＴ-16dB、で十分に機能する。また、シュミレーションには次のようなケースも含まれている。すなわち、HSTU-Rのローカル400HzＴＣＭ−ＩＳＤクロックが、ＴＣＭ−ＩＳＤＮノイズとオフセットしたフェーズを有するケースである（すなわち、そのノイズゲートは、サブ・シンボルを部分的にＮＥＸＴノイズパスで影響させ、ＦＥＸＴ継続時間中の他の部分に関しては阻止させる）。図17は、シュミレーションされたHTSU-Rレシーバで削減されたシンボル率が、ＳＮＲ条件、および4.3125kHzサブ・シンボル（29μs）の1/8のＴＣＭ−ＩＳＤＮフェーズ・オフセット下で、完全に機能する事を図示している。なお静止ホワイト・ノイズ条件下でも、レシーバは、よく3dBの信号−対−ノイズ（ＳＮＲ：ＳＮ比）で機能する。
【０１８６】
通信距離延長アプリケーションのためのＴＴＲおよびパイロット・トーンの変更：
G.992.1アネックスＣ対応の通信距離延長システムは、データモードの下り電文のバンド幅を増加するために、しばしばオーバーラップ・モードを利用する。非常に長い距離（典型的に6kmを超える）では、例えばパイロット64およびＴＴＲ 48等の特定のトーンは、そのＳＮＲで相当な低下を呈し、その結果、システムの不完全な動作および／またはシステムの標準以下の通信効率となってしまう。図示するように、図１８および図１９は、0.4mmの紙絶縁ケーブルを用いて、-140dBm/Hzのホワイト・ノイズがある場合の、夫々PILOT64およびＴＴＲ 48−対−距離に関する典型的なプロット線を示している。また図20および図21は、24個のＴＣＭ−ＩＳＤＮディスターバがある場合の、夫々PILOT64およびＴＴＲ 48−対−距離に関する典型的なプロット線を示している。
【０１８７】
図示する実験結果によると、-140dBm/Hzのホワイト・ノイズが存在すると、トーンPILOT64やTTR48を用いたTTR&Pilot検知アルゴリズムは、0.4mmの紙絶縁ケーブルが使われるときには略6.2kmまで達するだけである。ＴＴＲやPilot検知の間に通信可能な範囲を延長する為に、本発明は、PILOT３４やTTR２４のような代替トーンを用いるプロセスを提供し、これらの代替トーンにより長距離でのSNRのドロップがより低くすることで拡張通信距離のシステムを構築することが可能となる。図２２および図２３には、0.4mmの紙絶縁ケーブルを使用し、-140dBm/Hzのホワイト・ノイズがある場合の、夫々PILOT３２とTTR２４−対−通信距離の例示的なプロットが示されている。さらに図２４と図２５には、２４TCM−ISDNディスターバが存在するときの0.4mmの紙絶縁ケーブルを使用し、-140dBm/Hzのホワイト・ノイズがある場合の、夫々PILOT３２とTTR２４−対−通信距離の例示的なプロットが示されている。
【０１８８】
図２２および図２３が示すように、PILOT32トーン及びTTR24トーンは、PILOT64トーン及びTTR48トーンと比較して、拡張通信距離で大幅にSNRが改善されていることを示している。例えば、PILOT64トーンのSNRは、ホワイト・ノイズがある場合には略6.2kmで略0dBであり、それに対してPILOT32トーンのSNRは、略7.0kmで約＋15dBである。同様にTTR48トーンのSNRは、ホワイト・ノイズがある場合には略6.2kmで略＋13dBであり、それに対してTTR24トーンのSNRは、略7.0kmで約＋25dBである。従って、パイロット32およびTTR24トーンは、略７kmの通信距離が可能であり、これに対してパイロット64およびTTR48トーンは、略6.2kmの通信距離だけである。
【０１８９】
周波数分割多重化（FDM）モードでのPILOT64およびTTR48の限界：
周波数分割多重化対応システムは、しばしばノイズでいっぱいの環境（例えば日本）では、4km未満に限られている。したがって、PILOT６４およびＴＴＲ 48検出技術は、この種の例では周波数分割多重化モードでは通信出来ない。ＴＴＲ及びPILOTが通信不可にある理由には、24ＴＣＭ−ＩＳＤＮの存在、トーン48及び64の近傍でのスペクトルをゼロにするいくつかのブリッジタップの存在、4km制限に近いシステムのループ・プラントの存在、等である。したがって、PILOT64やTTR48のFCMモードでの限界に十分アクセスするテストシナリオには、長さ4kmのループ、0.4mmの紙絶縁ケーブル、24ＴＣＭ−ＩＳＤＮ漏話、数多くの~190m長のブリッジタップ（長さ190mのブリッジタップは、トーン64及び48の近くで、ループ周波数応答をゼロにする）、等の特徴が含まれる。
【０１９０】
図26は、テストシナリオの幾つかのブリッジタップに従ったループ減衰−対−周波数を例示する。このテストシナリオは、概して実際のフィールド実施での信号品質を減少させる極僅かな因子を示している。日本での0.4mmの直線紙テープループと、トーン64および48の付近でスペクトルをゼロにする6つのブリッジタップが組み合うと、さらに信号品質を低下させる。従って、周波数分割多重化モードでTTR 48やPILOT６４が通信不可に到るシナリオを定義するのは可能ではあるが、この楽観的なループシナリオにおいても呈される高いマージンは、物理的な固有の境界よりむしろ実施限界を意味することになる。
【０１９１】
表29および図30は、ホワイト・ノイズのシナリオ、24のＴＣＭ−ＩＳＤＮ対ブリッジタップの存在する場合の例示的なTTR48とPILOT64と、ブリッジタップ数の例示的な対比を例示している。これらのテーブルは、ＴＴＲ 48およびPILOT64は、最小限必要なＳＮＲに関して10dB以上のマージンを呈することを示している。
【表２９】
2005534256.tif 000054
【表３０】
2005534256.tif 000055
【０１９２】
パイロット・トーンとTTR信号の通信距離拡張に用いる追加あるいは変更として、PILOT32トーンとTTR24トーンがオプションとして使用が出来るようにする為に、次のようなG.994.1およびG.992.1標準規格への例示的変更と追加を行なう。
【０１９３】
G.994.1における変更点：
G.994.1において、コード位置をHTU-R/HTU-Cへ信号を伝達する為に加え、トーン３２のパイロット・トーン、およびA24のTTRトーンを送信／受信する能力を与える。以下の表31および表32は、コード位置の追加を例示する。
【表３１】
2005534256.tif 000056
【表３２】
2005534256.tif 000057
【０１９４】
G.992.1における変更点：
以下のビット定義が、下記のように補充される。
アネックスＣ.7.2において、−ハンドシェーク ― ＡＴＵ−Ｃ（セクション10.2を補充する）：
C.7.2.1 CLメッセージ（セクション 10.2.1を補充する）は、表33にて図示したように補充される。
【表３３】
2005534256.tif 000058
【０１９５】
アネックスＣ.7.3において、−ハンドシェーク ― ＡＴＵ−Ｒ（セクション10.3を補充す
る）：
C.7.3.1 CLＲメッセージ（セクション 10.3.1を補充する）は、表34にて図示したように補充される。
【表３４】
2005534256.tif 000059
【０１９６】
本発明は、例えば6.2kmを越えた拡張通信距離のためのアネックスオーバーラップ・モードのオプションとしてのトーンとして使用するPILOT32とTTR24を提供し、この通信距離でも、これらのトーンの現行定義は、強いスタートアップには充分である。これらの実際的な通信距離とトーン64及び48の依存性−対−上記図に示した距離とに基づき、ホワイト・ノイズのケースにおけるシナリオと24ＴＣＭ−ＩＳＤＮ干渉因子の両方における、実際的なＳＮＲトーンの限界が決定できる。
【０１９７】
要約すると、本発明の一実施例は、非同期デジタル加入者回線（ＡＤＳＬ）システムでの方法を提供し、このADSLシステムは、遠隔ＡＤＳＬ端末装置（ＡＴＵ−Ｒ）と双方向性オーバーラップ・スペクトル離散的多重音声（ＤＭＴ）通信する電話局ADSL端末（ＡＴＵ−Ｃ）で構成されている。またその方法は、少なくともＡＴＵ−ＣおよびＡＴＵ−Ｒ間の距離の少なくとも一部に基づいて、第1のＤＭＴトーンか第2のＤＭＴトーンで、第1のハンドシェーク・トーンを送信するステップで構成される。ある１つの実施例においては、その第1のハンドシェーク・トーンは、ＡＴＵ−ＣおよびＡＴＵ−Ｒの間の距離が6.2キロメートル未満である時には、第１のＤＭＴトーンで送信され、またＡＴＵ−ＣおよびＡＴＵ−Ｒの間の距離が6.2キロメートル以上の時には、第1のハンドシェーク・トーンは第2のＤＭＴトーンで送信される。ある実施例においては、上記第1のハンドシェーク・トーンはパイロット・トーンであり、第1のＤＭＴトーンはトーン64であり、第2のＤＭＴトーンはトーン32である。他の実施形態では、第1のハンドシェーク・トーンはＴＣＭ−ＩＳＤＮタイミング基準（ＴＴＲ）トーンであり、第1のＤＭＴトーンはトーン48であり、第2のＤＭＴトーンはトーン24である。ＡＴＵ−ＣおよびＡＴＵ−Ｒは、好ましくはＴＣＭ−ＩＳＤＮネットワークを経て、双方向性通信が可能である。
【０１９８】
更なる方法は、少なくともＡＴＵ−ＣおよびＡＴＵ−Ｒ間の距離の少なくとも一部に基づいて、第３のＤＭＴトーンか第４のＤＭＴトーンで、第２のハンドシェーク・トーンを送信するステップで構成される。その第２のハンドシェーク・トーンは、ＡＴＵ−ＣおよびＡＴＵ−Ｒの間の距離が6.2キロメートル未満である時には、第３のＤＭＴトーンで送信され、またＡＴＵ−ＣおよびＡＴＵ−Ｒの間の距離が6.2キロメートル以上の時には、第２のハンドシェーク・トーンは第４のＤＭＴトーンで送信される。ある実施例においては、上記第1のハンドシェーク・トーンはパイロット・トーンであり、上記第２のハンドシェーク・トーンはＴＣＭ−ＩＳＤＮタイミング基準（ＴＴＲ）トーンであり、第1のＤＭＴトーンはトーン64であり、第2のＤＭＴトーンはトーン32であり、第3のＤＭＴトーンはトーン48であり、第4のＤＭＴトーンはトーン24である。
【０１９９】
さらに要約すると、本発明の追加的な実施例は、非同期デジタル加入者回線（ＡＤＳＬ）システムでの方法を提供する。このADSLシステムは、電話局ADSL端末（ＡＴＵ−Ｃ）と、このＡＴＵ−Ｃと双方向性オーバーラップ・スペクトル離散的多重音声（ＤＭＴ）通信する遠隔ＡＤＳＬ端末装置（ＡＴＵ−Ｒ）とで構成されている。電話局ADSL端末（ＡＴＵ−Ｃ）は、少なくともＡＴＵ−ＣおよびＡＴＵ−Ｒ間の距離の少なくとも一部に基づいて、第1のＤＭＴトーンか第2のＤＭＴトーンで、第1のハンドシェーク・トーンを送信するために利用される。ある１つの実施例においては、その第1のハンドシェーク・トーンは、ＡＴＵ−ＣおよびＡＴＵ−Ｒの間の距離が6.2キロメートル未満である時には、第１のＤＭＴトーンで送信され、またＡＴＵ−ＣおよびＡＴＵ−Ｒの間の距離が6.2キロメートル以上の時には、第1のハンドシェーク・トーンは第2のＤＭＴトーンで送信される。ある実施例においては、上記第1のハンドシェーク・トーンはパイロット・トーンであり、第1のＤＭＴトーンはトーン64であり、第2のＤＭＴトーンはトーン32である。他の実施形態では、第1のハンドシェーク・トーンはＴＣＭ−ＩＳＤＮタイミング基準（ＴＴＲ）トーンであり、第1のＤＭＴトーンはトーン48であり、第2のＤＭＴトーンはトーン24である。ＡＴＵ−ＣおよびＡＴＵ−Ｒは、好ましくはＴＣＭ−ＩＳＤＮネットワークを経て、双方向性通信が可能である。
【０２００】
更に電話局ADSL端末（ＡＴＵ−Ｃ）は、少なくともＡＴＵ−ＣおよびＡＴＵ−Ｒ間の距離の少なくとも一部に基づいて、第３のＤＭＴトーンか第４のＤＭＴトーンで、第２のハンドシェーク・トーンを送信するために利用される。その第２のハンドシェーク・トーンは、ＡＴＵ−ＣおよびＡＴＵ−Ｒの間の距離が6.2キロメートル未満である時には、第３のＤＭＴトーンで送信され、またＡＴＵ−ＣおよびＡＴＵ−Ｒの間の距離が6.2キロメートル以上の時には、第２のハンドシェーク・トーンは第４のＤＭＴトーンで送信される。ある実施例においては、上記第1のハンドシェーク・トーンはパイロット・トーンであり、上記第２のハンドシェーク・トーンはＴＣＭ−ＩＳＤＮタイミング基準（ＴＴＲ）トーンであり、第1のＤＭＴトーンはトーン64であり、第2のＤＭＴトーンはトーン32であり、第3のＤＭＴトーンはトーン48であり、第4のＤＭＴトーンはトーン24である。
【０２０１】
更に電話局ADSL端末（ＡＴＵ−Ｃ）は、その第１のハンドシェーク・トーンを、ＡＴＵ−ＣおよびＡＴＵ−Ｒの間の距離が6.2キロメートル未満である時には、第１のＤＭＴトーンで送信され、またＡＴＵ−ＣおよびＡＴＵ−Ｒの間の距離が6.2キロメートル以上の時には、その第１のハンドシェーク・トーンを第２のＤＭＴトーンで送信するために利用される。
【０２０２】
G.994.1ハンドシェーク手順でのC-GALF1のシンボル率の検出および決定：
本発明のさらにもう一つの実施形態では、第ITU勧告G.994.1（デジタル加入者回線（ＤＳＬ）トランシーバのためのハンドシェーク手順）のセクション6.1に記載されている4.3125kHzの信号系統のシンボル率は、秒当たり4312.5/8 &#186;
539.0625 から 4312.5/16 &#186;
269.53125へ、オプション的に低下させることが出来る。HSTU-C（ＣＯ）は、2つのシンボル率のうちの1つを選んで、このシンボル率でC-GALF1で送信を開始する。HSTU-Rは、それからC-GALF1をモニタリングすることにより選択されたシンボル率を得て、このシンボル率分でR-FLAG1を送ることによって応答する。シンボル率を低下させる目的は、特にＴＣＭ−ＩＳＤＮノイズがある場合の、ハンドシェーク手順の堅牢性を強化することである。この実施例によれば、HSTU-Rの新型の検知器は、移行数に基づき確実にC-GALF1を検出するために、本願明細書において記載されている。この新規な検知器は、その後、HSTU-CがC-GALF1の送信用に選択したシンボル率を決定する上で、重要となる。
【０２０３】
移行数に基づくC-GALF1の検出：
G.994.1勧告において使用される変調は、差別的に符号化された二進移相変調（DPSK：Differentially-encoded Binary Phase Shift Keying ）であり、バリュー1の移行ビットは180度の移相シフトとして送信され、バリュー0は0度の移相シフトとして送信され、これらはキャリアセットの全ての搬送波に同時に適用される。
【０２０４】
レシーバの復調のために、時間領域信号は、231.88μs（1/43125Hz）時間のサブ・シンボルに分割され、それぞれはその後FFT（高速フーリエ変換）の入力値となる。FFT率は、このようにハンドシェーク・シンボル率の8または16倍である。搬送波周波数C（k）の8つの連続したFFT出力ビンは、それから加算されて、8つのそれ以前のサブ・シンボルの合計値と乗算される：
【数１８】
2005534256.tif 000060
【０２０５】
ここで
【数１９】
2005534256.tif 000061
【０２０６】
符号d(n)は、キャリア信号の各々の位相変化で負となる。C-GALFは、値8116のオクテットであり、2つの位相変化を含む。シンボル配列がこの点では不知であるので、レシーバは、C-GALFの存在を決定して、それをノイズまたは他の受信信号と区別するために、一定の時間窓の中で負のd（n）を有するサブ・シンボルの数を単純に計数する。或いは他の方法として、「二重レート」C-GALF1では、5つ又は3つの位相変化が、HSTU-Cからのシンボル率に従い、第1の位相転移に続く２０個のサブ・シンボル中に存在する。その場合、20個のサブ・シンボル中で最低3つの位相変化を検出したら、レシーバは「C-GALF1検出済」状態へ切替えることが出来る。
【０２０７】
「二重レート」C-GALF1の検出及びシンボル率の決定：
「二重シンボル率」C-GALF1を検出において、本発明のHSTU-R検知器は、シンボル率を決定するために、決定時間スパン（determined time span）上でのd(n)の負パルスをカウントする。G.994.1勧告のセクション11.1.1は、HSTU-RはC-GALF1の始まりから500ms（&#116;
1<500ms）以内に応答しなければならない旨を規定する。上記セクション１で既述したように、C-GALF1の存在を検出した後に、HSTU-Rは、例えば2048 サブ・シンボル（すなわち475ms）以内に発生する移行を計数し、HSTU-Cがどちらのシンボル率を選択したかのカウンタ値を決定する。シンボル率が269.53125であれば、カウンタは32の値を有し、シンボル率が539.0625であればカウンタは64の値を有する。475msより短い如何なる時間も使用することが出来る。
【０２０８】
要約する：
リモート高速ＡＤＳＬ端末（HSTU-R：remote High Speed ADSL Terminating Unit）と双方向性離散的多重音声（ＤＭＴ）通信する電話局高速ＡＤＳＬ端末で構成した非同期デジタル加入者回線（ＡＤＳＬ）システムにおいて、本発明の追加的な実施例に係るハンドシェーク検知を改善する方法を提供する。この方法は、第1のシンボル率でキャリアセットの第1のサブセット経由でHSTU-CからHSTU-Rへハンドシェーク信号を送信するステップと、第１のシンボル率より少ないシンボル率である第2のシンボル率でキャリアセットの第2のサブセット経由でHSTU-CからHSTU-Rへハンドシェーク信号を送信するステップで構成されている。この第1のシンボル率は好ましくは1秒につき539.0625のシンボルであり、第2のシンボル率は好ましくは1秒につき269.53125のシンボルである。ある実施例においては、両方の第１および第２のキャリアセットのために第1のシンボル率で実行されるHSTU-CおよびHSTU-R間のハンドシェークの試みが失敗した後に、ハンドシェーク信号は第2のシンボル率でキャリアセットの第2のサブセットを経由して送信される。キャリアセットの第2のサブセットには、キャリアセットの第1のサブセットに存在するノイズより大きいノイズを有するキャリアセットを含む。なおこのノイズには近端漏話が含まれる。キャリアセットの第2のサブセットには、好ましくはキャリアセットC43を含み、キャリアセットの第2のサブセットには、好ましくはキャリアセットA43を含む。HSTU-CおよびHSTU-Rは、好ましくはＴＣＭ−ＩＳＤＮネットワークを経由した双方向性通信が可能である。
【０２０９】
さらに上述の方法は、HSTU-Rで、第2のシンボル率を識別するためにキャリアセットの第2のサブセットを経由してHSTU-Cにより送信されるハンドシェーク信号の一定の時間窓で、位相変化の数を検出するステップを含む。またその方法には、識別されたハンドシェーク・シンボル送信率でHSTU-Rから、少なくとも一つのハンドシェーク・シンボルをHSTU-Cで受信するステップを含む。上記のハンドシェーク信号の一定の時間窓で位相変化の数を検出するステップには、次の各ステップが含まれる。まずHSTU-Cにより送信されたハンドシェーク信号を、一定の時間窓のためのサブ・シンボルの第１のサブ・シンボルと、この第1のサブ・シンボルに続く第2のサブ・シンボルに分離するステップと；次にこの第1のサブ・シンボルの各々に高速フーリエ変換を実行するステップと；上記第1のサブ・シンボルの各々に高速フーリエ変換を実行した結果を合計するステップと；上記第２のサブ・シンボルの各々に高速フーリエ変換を実行した結果を合計するステップと；そしてその時間窓の中でハンドシェーク信号の位相変化の数を決定するために、第1のサブ・シンボルから得られた合計結果と、第２のサブ・シンボルから得られた合計結果を掛け合わせるステップ；とが含まれる。時間窓の中で検出された位相変化の数は、識別された第2のシンボル率と比例していてもよいし、又はその位相変化の数が第2のシンボル率と関連する位相変化の数の最小数以上の場合は、第2のシンボル率はHSTU-Rにより識別されることができる。
【０２１０】
リモート高速ＡＤＳＬ端末（HSTU-R：remote High Speed ADSL Terminating Unit）と双方向性離散的多重音声（ＤＭＴ）通信する電話局高速ＡＤＳＬ端末(HSTU-C)で構成した非同期デジタル加入者回線（ＡＤＳＬ）システムにおいて、ハンドシェーク検知の堅牢性を改善する方法を提供する。この方法は、第1のシンボル率でHSTU-CおよびHSTU-R間で、ＤＭＴ送信帯域幅のキャリアセットの第1のサブサブセットを経由してハンドシェーク信号を送るステップと；そのＤＭＴ送信帯域幅のキャリアセットの第2のサブセット中に近端漏話（ＮＥＸＴ）が存在することを決定するステップと；キャリアセットの第2のサブセットを通じて送信される少なくとも一つのハンドシェーク・シンボルの少なくとも一つのサブ・シンボルが、近端漏話に実質的に影響を受けないように、第2のシンボル率でキャリアセットの第2のサブセットを経由して少なくとも一つのハンドシェーク・シンボルを送信するステップ；とで構成される。この第1のシンボル率は、好ましくは1秒につき539.0625のシンボルであり、第2のシンボル率は、好ましくは1秒につき269.53125のシンボルである。キャリアセットの第2のサブセットは、好ましくはキャリアセットC43および／またはA43を含む。
【０２１１】
本発明の追加的な実施例では、非同期デジタル加入者回線（ＡＤＳＬ）システムが提供される。このＡＤＳＬシステムは、電話局高速ＡＤＳＬ端末(HSTU-C)と、HSTU-Cと双方向性離散的多重音声（ＤＭＴ）通信するリモート高速ＡＤＳＬ端末（HSTU-R）で構成する。このHSTU-Cは、第1のシンボル率でキャリアセットの第1のサブセットを経由してハンドシェーク信号をHSTU-Rに送信し、さらに第1のシンボル率より少ない第2のシンボル率でキャリアセットの第2のサブセットを経由してハンドシェーク信号をHSTU-Rに送信するために用いられる。この第1のシンボル率は、好ましくは1秒につき539.0625のシンボルであり、第2のシンボル率は、好ましくは1秒につき269.53125のシンボルである。第１および第２のキャリアセット用の第1のシンボル率で実行される、HSTU-CおよびHSTU-R間のハンドシェークの試みが失敗した後に、HSTU-Cは、第2のシンボル率でキャリアセットの第2のサブセットを経由してハンドシェーク信号を送信するために、利用される。キャリアセットの第2のサブセットは、好ましくはキャリアセットC43および／またはA43を含む。
【０２１２】
リモート高速ＡＤＳＬ端末（HSTU-R：remote High Speed ADSL Terminating Unit）と双方向性離散的多重音声（ＤＭＴ）通信する電話局高速ＡＤＳＬ端末(HSTU-C)で構成した非同期デジタル加入者回線（ＡＤＳＬ）システムにおいて、本発明の更に他の実施例に係るハンドシェーク検知を改善する方法を提供する。この方法は、HSTU-Rで、ハンドシェーク信号のシンボル率を識別するために、HSTU-Cにより送信されたハンドシェーク信号の一定の時間窓の中で位相変化の数を検出するステップで構成されている。更にこの方法は、識別されたシンボル率でHSTU-RからHSTU-Cへ承認シンボルを送信するステップを含む。本方法には追加的に、HSTU-Cで、少なくとも一つのハンドシェーク・シンボルを、HSTU-Rで、識別されたシンボル率で受信するステップを含むことができる。
【０２１３】
上記ハンドシェーク信号のシンボル率を識別するために、HSTU-Cにより送信されたハンドシェーク信号の一定の時間窓中の位相変化の数を検出するステップには、次のステップが含まれる。まず、HSTU-Cにより送信されたハンドシェーク信号を、一定の時間窓のためのサブ・シンボルの第１のサブ・シンボルと、この第1のサブ・シンボルに続く第2のサブ・シンボルに分離するステップと；次にこの第1のサブ・シンボルの各々に高速フーリエ変換を実行するステップと；上記第1のサブ・シンボルの各々に高速フーリエ変換を実行した結果を合計するステップと；上記第２のサブ・シンボルの各々に高速フーリエ変換を実行した結果を合計するステップと；そしてその時間窓の中でハンドシェーク信号の位相変化の数を決定するために、第1のサブ・シンボルから得られた合計結果と、第２のサブ・シンボルから得られた合計結果を掛け合わせるステップ；とが含まれる。時間窓の中で検出された位相変化の数は、識別された第2のシンボル率と比例していてもよいし、又はその位相変化の数が第2のシンボル率と関連する位相変化の数の最小数以上の場合は、第2のシンボル率はHSTU-Rにより識別されることができる。
【０２１４】
前述の記載は多くの詳細説明および特定性を含む一方、これらは単に説明のためのものであり、本発明を限定するものと解釈されるべきでないと理解しなければならない。上記実施形態に対する多くの変更は、本発明の趣旨および権利範囲から逸脱することなく行うことは当然可能である。
【図面の簡単な説明】
【０２１５】
【図１】ＳＤＮ/ＡＤＳＬシステムの従来のタイミングモデルである。
【図２】本発明よって実行されるＡＤＳＬシステムのための配置ガイドラインを例示するブロック・ダイヤグラムである。
【図３】DBMOLの下り電文用のスペクトル・マスクである。
【図４】ＡＯＬの下り電文用のスペクトル・マスクである。
【図５】24通信圏内の通信干渉が仮定されるときの、ＧG992.1モードにおける第一群システムへのA.Xシステムのスペクトル互換性を例示した表である。
【図６】24通信圏内の通信干渉が仮定されるときの、ＧG992.2モードにおける第一群システムへのA.Xシステムのスペクトル互換性を例示した表である。
【図７】通信圏内の通信干渉が仮定されるときの（A.X1）、ＧG992.1モードにおける第一群システムへのA.Xシステムのスペクトル互換性を例示した表である。
【図８】ＣＯ配備のためのＡＤＳＬ+オーバーラップ・モード用ＰＳＤマスクを示す。
【図９】ＴＣＭ−ＩＳＤＮと同じ通信ケーブル束で作動する2.208MHzバンドＡＤＳＬ用拡張スペクトルのパフォーマンスを示すグラフである。
【図１０】ＣＯ配備のためのＡＤＳＬ+オーバーラップ・モード用ＰＳＤマスクを示す。
【図１１】ＣＯ配備のためのＡＤＳＬ+ＰＯＴＳ非オーバーラップ・モード用ＰＳＤマスクを示す。
【図１２】キャビネット配備のためのＡＤＳＬ+ＰＯＴＳオーバーラップ・モード用ＰＳＤマスクを示す。
【図１３】キャビネット配備のためのＡＤＳＬ+ＰＯＴＳ非オーバーラップ・モード用ＰＳＤマスクを示す。
【図１４】キャビネット配備のためのＡＤＳＬ+ＩＳＤＮオーバーラップ・モード用ＰＳＤマスクを示す。
【図１５】キャビネット配備のためのＡＤＳＬ+ＩＳＤＮ非オーバーラップ・モード用ＰＳＤマスクを示す。
【図１６】平均アライメント・エラー(μs)対ＦＥＸＴ−ＮＥＸＴのノイズレベルの差のグラフである。
【図１７】キャリアセットC43をハンドシェークのシンボル短縮率を半分にした場合、典型的なHTSU-Rレシーバのシュミレーションされた性能を図示したグラフである。
【図１８】0.4mmの紙絶縁ケーブルを用いて、-140dBm/Hzのホワイト・ノイズがある場合の、PILOT64−対−距離に関する典型的なプロット線である。
【図１９】0.4mmの紙絶縁ケーブルを用いて、-140dBm/Hzのホワイト・ノイズがある場合の、ＴＴＲ 48−対−距離に関する典型的なプロット線である。
【図２０】24個のＴＣＭ−ＩＳＤＮディスターバがある場合の、PILOT64−対−距離に関する典型的なプロット線である。
【図２１】24個のＴＣＭ−ＩＳＤＮディスターバがある場合の、ＴＴＲ 48−対−距離に関する典型的なプロット線である。
【図２２】0.4mmの紙絶縁ケーブルを使用し、-140dBm/Hzのホワイト・ノイズがある場合の、PILOT３２−対−通信距離の例示的なプロット線である。
【図２３】0.4mmの紙絶縁ケーブルを使用し、-140dBm/Hzのホワイト・ノイズがある場合の、TTR２４−対−通信距離の例示的なプロット線である。
【図２４】２４TCM−ISDNディスターバが存在するときの0.4mmの紙絶縁ケーブルを使用し、-140dBm/Hzのホワイト・ノイズがある場合の、PILOT３２−対−通信距離の例示的なプロット線である。
【図２５】２４TCM−ISDNディスターバが存在するときの0.4mmの紙絶縁ケーブルを使用し、-140dBm/Hzのホワイト・ノイズがある場合の、TTR２４−対−通信距離の例示的なプロット線である。
【図２６】テストシナリオの幾つかのブリッジタップに従ったループ減衰−対−周波数を例示するグラフである。
【図１】
2005534256.tif 000090
【図２】
2005534256.tif 000091
【図３】
2005534256.tif 000092
【図４】
2005534256.tif 000093
【図５】
2005534256.tif 000094
【図６】
2005534256.tif 000095
【図７】
2005534256.tif 000096
【図８】
2005534256.tif 000097
【図９】
2005534256.tif 000098
【図１０】
2005534256.tif 000099
【図１１】
2005534256.tif 000100
【図１２】
2005534256.tif 000101
【図１３】
2005534256.tif 000102
【図１４】
2005534256.tif 000103
【図１５】
2005534256.tif 000104
【図１６】
2005534256.tif 000105
【図１７】
2005534256.tif 000106
【図１８】
2005534256.tif 000107
【図１９】
2005534256.tif 000108
【図２０】
2005534256.tif 000109
【図２１】
2005534256.tif 000110
【図２２】
2005534256.tif 000111
【図２３】
2005534256.tif 000112
【図２４】
2005534256.tif 000113
【図２５】
2005534256.tif 000114
【図２６】
2005534256.tif 000115
【国際調査報告】
2005534256.tif 000116
2005534256.tif 000117